(57)【特許請求の範囲】
【請求項１】
基地局におけるワイヤレス通信のための方法であって、
制御情報送信に対してクラスタ化方式または分散型方式のうちのどちらが構成されるのかという表示を送信するステップであって、前記クラスタ化方式が、時間的に連続する制御情報送信を行う方式を示し、または前記分散型方式が、時間的にインターリーブされた制御情報送信およびダウンリンクデータ送信を行う方式を示す、ステップと、
第2の時間リソース中の第2の周波数帯域幅を介した第1のデータ送信をスケジュールする第1の制御情報を、第1の時間リソース中に第1の周波数帯域幅を介して送信するステップであって、前記第1の時間リソースが、前記表示に少なくとも部分的に基づいて選択される、ステップと、
第4の時間リソース中の第4の周波数帯域幅を介した第2のデータ送信をスケジュールする第2の制御情報を、第3の時間リソース中に第3の周波数帯域幅を介して送信するステップであって、前記第3の時間リソースが、前記表示に少なくとも部分的に基づいて選択される、ステップと、
前記第1のデータ送信を前記第2の時間リソース中に送信するステップと、
前記第2のデータ送信を前記第4の時間リソース中に送信するステップと
を備える方法。
【請求項２】
前記表示が、制御情報送信に対して前記クラスタ化方式が構成されることを示し、前記第1の制御情報および前記第2の制御情報が、制御情報送信クラスタの中で送信される、請求項1に記載の方法。
【請求項３】
前記第1の制御情報が第1のビーム方向で送信され、前記第2の制御情報が第2のビーム方向で送信される、請求項2に記載の方法。
【請求項４】
同期信号送信に対応するビームパターンと前記制御情報送信クラスタの制御情報ビームパターンとの間のマッピングパターンを送信するステップ
をさらに備える、請求項3に記載の方法。
【請求項５】
前記制御情報送信クラスタに対する監視パターンを示すステップ
をさらに備える、請求項2に記載の方法。
【請求項６】
前記第2の時間リソースおよび前記第4の時間リソースが、前記第1の時間リソースおよび前記第3の時間リソースの後に出現する、請求項2に記載の方法。
【請求項７】
前記第2の時間リソースが前記第1の時間リソースの後に出現し、前記第3の時間リソースが前記第2の時間リソースの前に出現し、前記第4の時間リソースが前記第2の時間リソースの後に出現する、請求項2に記載の方法。
【請求項８】
前記表示が、制御情報送信に対して前記分散型方式が構成されることを示す、請求項1に記載の方法。
【請求項９】
前記表示がマスタ情報ブロック(MIB)の中で送信される、請求項1に記載の方法。
【請求項１０】
前記第1の周波数帯域幅が前記第2の周波数帯域幅よりも狭く、前記第3の周波数帯域幅が前記第4の周波数帯域幅よりも狭い、請求項1に記載の方法。
【請求項１１】
前記第1の周波数帯域幅が前記第2の周波数帯域幅と同じサイズであり、前記第3の周波数帯域幅が前記第4の周波数帯域幅と同じサイズである、請求項1に記載の方法。
【請求項１２】
前記第1の周波数帯域幅が周波数において前記第2の周波数帯域幅とオーバーラップしておらず、前記第3の周波数帯域幅が前記第4の周波数帯域幅とオーバーラップしていない、請求項1に記載の方法。
【請求項１３】
前記第1のデータ送信または前記第2のデータ送信が、システム情報ブロック(SIB)メッセージ、ランダムアクセス応答メッセージ、ページングメッセージ、またはユーザデータブロックを備える、請求項1に記載の方法。
【請求項１４】
ユーザ機器(UE)におけるワイヤレス通信のための方法であって、
制御情報送信に対してクラスタ化方式または分散型方式のうちのどちらが構成されるのかという表示を基地局から受信するステップであって、前記クラスタ化方式が、前記クラスタ化方式が、時間的に連続する制御情報を送信する方式を示し、または前記分散型方式が、時間的にインターリーブされた制御情報送信およびダウンリンクデータ送信を行う方式を示す、ステップと、
前記UE用の制御情報に対する制御情報リソースセットを、前記表示に少なくとも部分的に基づいて監視するステップと、
前記監視に少なくとも部分的に基づいて第1の時間リソース中に第1の周波数帯域幅を介して前記UE用の前記制御情報を受信するステップであって、前記制御情報が、前記UEのためのデータ送信を第2の時間リソース中にスケジュールする、ステップと、
前記第2の時間リソース中に第2の周波数帯域幅を介して前記データ送信を受信するステップと
を備える方法。
【請求項１５】
前記表示が、制御情報送信に対して前記クラスタ化方式が構成されることを示し、前記第1の時間リソースが制御情報送信クラスタ中に出現し、前記制御情報送信クラスタが前記第2の時間リソースの前に出現する、請求項14に記載の方法。
【請求項１６】
前記制御情報送信クラスタに対する監視パターンの表示を前記基地局から受信するステップ
をさらに備える、請求項15に記載の方法。
【請求項１７】
前記基地局によって送信される1つまたは複数の同期信号に少なくとも部分的に基づいて、好適な送信ビーム方向を識別するステップをさらに備え、前記制御情報送信クラスタの中での前記制御情報リソースセットのロケーションが、前記好適な送信ビーム方向に対応する、
請求項15に記載の方法。
【請求項１８】
同期信号送信に対応するビームパターンと前記制御情報送信クラスタの制御情報ビームパターンとの間のマッピングパターンを受信するステップと、
前記ビームパターンおよび前記マッピングパターンに少なくとも部分的に基づいて前記第1の時間リソースを識別するステップと
をさらに備える、請求項15に記載の方法。
【請求項１９】
第3の時間リソースが、前記第1の時間リソースの後で、かつ前記制御情報送信クラスタ中に出現し、前記第3の時間リソースが、前記第1の時間リソース中に送信された制御情報とは異なる制御情報を受信するためのリソースである、請求項15に記載の方法。
【請求項２０】
前記表示が、制御情報送信に対して前記分散型方式が構成されることを示す、請求項14に記載の方法。
【請求項２１】
前記表示が、マスタ情報ブロック(MIB)、システム情報ブロック(SIB)、無線リソース制御(RRC)シグナリング、メディアアクセス制御(MAC)制御要素(CE)、またはダウンリンク制御情報(DCI)の中で受信される、請求項14に記載の方法。
【請求項２２】
前記第1の周波数帯域幅が前記第2の周波数帯域幅よりも狭い、請求項14に記載の方法。
【請求項２３】
前記第1の周波数帯域幅が前記第2の周波数帯域幅と同じサイズである、請求項14に記載の方法。
【請求項２４】
前記第1の周波数帯域幅が周波数において前記第2の周波数帯域幅とオーバーラップする、請求項14に記載の方法。
【請求項２５】
前記データ送信が、システム情報ブロック(SIB)メッセージ、ランダムアクセス応答メッセージ、ページングメッセージ、またはユーザデータブロックを備える、請求項14に記載の方法。
【請求項２６】
基地局におけるワイヤレス通信のための装置であって、
プロセッサと、前記プロセッサと電子通信するメモリと、前記メモリに記録された命令とを備え、
前記命令は、前記装置に、
制御情報送信に対してクラスタ化方式または分散型方式のうちのどちらが構成されるのかという表示を送信することであって前記クラスタ化方式が、時間的に連続する制御情報送信を行う方式を示し、または前記分散型方式が、時間的にインターリーブされた制御情報送信およびダウンリンクデータ送信を行う方式を示す、送信することと、
第2の時間リソース中の第2の周波数帯域幅を介した第1のデータ送信をスケジュールする第1の制御情報を、第1の時間リソース中に第1の周波数帯域幅を介して送信することあって、前記第1の時間リソースが、前記表示に少なくとも部分的に基づいて選択される、送信することと、
第4の時間リソース中の第4の周波数帯域幅を介した第2のデータ送信を送信されるスケジュールする第2の制御情報を、第3の時間リソース中に第3の周波数帯域幅を介して送信することであって、前記第3の時間リソースが、前記表示に少なくとも部分的に基づいて選択される、送信することと、
前記第1のデータ送信を前記第2の時間リソース中に送信することと、
前記第2のデータ送信を前記第4の時間リソース中に送信することと
を行わせるように前記プロセッサによって実行可能である、装置。
【請求項２７】
前記表示が、制御情報送信に対して前記クラスタ化方式が構成されることを示し、前記第1の制御情報および前記第2の制御情報が、制御情報送信クラスタの中で送信される、請求項26に記載の装置。
【請求項２８】
前記第1の制御情報が第1のビーム方向で送信され、前記第2の制御情報が第2のビーム方向で送信される、請求項27に記載の装置。
【請求項２９】
前記命令が、前記装置に、
同期信号送信に対応するビームパターンと前記制御情報送信クラスタの制御情報ビームパターンとの間のマッピングパターンを送信すること
をさらに行わせるように前記プロセッサによって実行可能である、請求項28に記載の装置。
【請求項３０】
前記命令が、前記装置に、
前記制御情報送信クラスタに対する監視パターンを示すこと
をさらに行わせるように前記プロセッサによって実行可能である、請求項27に記載の装置。
【請求項３１】
前記第2の時間リソースが前記第1の時間リソースの後に出現し、前記第3の時間リソースが前記第2の時間リソースの前に出現し、前記第4の時間リソースが前記第2の時間リソースの後に出現する、請求項27に記載の装置。
【請求項３２】
前記表示が、制御情報送信に対して前記分散型方式が構成されることを示す、請求項26に記載の装置。
【請求項３３】
前記表示がマスタ情報ブロック(MIB)の中で送信される、請求項26に記載の装置。
【請求項３４】
前記第1のデータ送信または前記第2のデータ送信が、システム情報ブロック(SIB)メッセージ、ランダムアクセス応答メッセージ、ページングメッセージ、またはユーザデータブロックを備える、請求項26に記載の装置。
【請求項３５】
前記第1の周波数帯域幅が前記第2の周波数帯域幅よりも狭く、前記第3の周波数帯域幅が前記第4の周波数帯域幅よりも狭いか、または、
前記第1の周波数帯域幅が前記第2の周波数帯域幅と同じサイズであり、前記第3の周波数帯域幅が前記第4の周波数帯域幅と同じサイズであるか、または、
前記第1の周波数帯域幅が周波数において前記第2の周波数帯域幅とオーバーラップしておらず、前記第3の周波数帯域幅が前記第4の周波数帯域幅とオーバーラップしていない、請求項26に記載の装置。
【請求項３６】
ユーザ機器(UE)におけるワイヤレス通信のための装置であって、
プロセッサと、前記プロセッサと電子通信するメモリと、前記メモリに記録された命令とを備え、
前記命令は、前記装置に、
制御情報送信に対してクラスタ化方式または分散型方式のうちのどちらが構成されるのかという表示を基地局から受信することであって、前記クラスタ化方式が、時間的に連続する制御情報送信を行う方式を示し、または前記分散型方式が、時間的にインターリーブされた制御情報送信およびダウンリンクデータ送信を行う方式を示す、受信することと、
前記UE用の制御情報に対する制御情報リソースセットを、前記表示に少なくとも部分的に基づいて監視することと、
前記監視に少なくとも部分的に基づいて第1の時間リソース中に第1の周波数帯域幅を介して前記UE用の前記制御情報を受信することであって、前記制御情報が、前記UEのためのデータ送信を第2の時間リソース中にスケジュールする、受信することと、
前記第2の時間リソース中に第2の周波数帯域幅を介して前記データ送信を受信することと
を行わせるように前記プロセッサによって実行可能である、装置。
【請求項３７】
前記表示が、制御情報送信に対して前記クラスタ化方式が構成されることを示し、前記第1の時間リソースが制御情報送信クラスタ中に出現し、前記制御情報送信クラスタが前記第2の時間リソースの前に出現する、請求項36に記載の装置。
【請求項３８】
前記命令が、前記装置に、
前記制御情報送信クラスタに対する監視パターンの表示を前記基地局から受信すること
をさらに行わせるように前記プロセッサによって実行可能である、請求項37に記載の装置。
【請求項３９】
前記命令が、前記装置に、
前記基地局によって送信される1つまたは複数の同期信号に少なくとも部分的に基づいて、好適な送信ビーム方向を識別することであって、前記制御情報送信クラスタの中での前記制御情報リソースセットのロケーションが、前記好適な送信ビーム方向に対応する、識別すること
をさらに行わせるように前記プロセッサによって実行可能である請求項37に記載の装置。
【請求項４０】
前記命令が、前記装置に、
同期信号送信に対応するビームパターンと前記制御情報送信クラスタの制御情報ビームパターンとの間のマッピングパターンを受信することと、
前記ビームパターンおよび前記マッピングパターンに少なくとも部分的に基づいて前記第1の時間リソースを識別することと
をさらに行わせるように前記プロセッサによって実行可能である、請求項37に記載の装置。
【請求項４１】
前記表示が、制御情報送信に対して前記分散型方式が構成されることを示す、請求項36に記載の装置。
【請求項４２】
前記表示が、マスタ情報ブロック(MIB)、システム情報ブロック(SIB)、無線リソース制御(RRC)シグナリング、メディアアクセス制御(MAC)制御要素(CE)、またはダウンリンク制御情報(DCI)の中で受信されるか、または、
前記データ送信が、システム情報ブロック(SIB)メッセージ、ランダムアクセス応答メッセージ、ページングメッセージ、またはユーザデータブロックを含む、請求項36に記載の装置。
【請求項４３】
前記第1の周波数帯域幅が前記第2の周波数帯域幅よりも狭いか、または前記第1の周波数帯域幅が前記第2の周波数帯域幅と同じサイズであるか、または前記第1の周波数帯域幅が周波数において前記第2の周波数帯域幅とオーバーラップする、請求項36に記載の装置。
【発明の詳細な説明】
【技術分野】
【０００１】
相互参照
本特許出願は、2018年6月13日に出願されたJohn Wilsonらによる「Multiplexing Clustered Control Information and Data」と題する米国特許出願第16/007,919号、および2017年6月23日に出願されたJohn Wilsonらによる「Multiplexing Clustered Control Information and Data」と題する米国仮特許出願第62/524,432号の優先権を主張し、その各々が本出願の譲受人に譲渡される。
【０００２】
以下は、一般に、ワイヤレス通信に関し、より詳細には、クラスタ化された制御情報およびデータの多重化に関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム)を含む。ワイヤレス多元接続通信システムは、場合によってはユーザ機器(UE:User Equipment)と呼ばれることがある複数の通信デバイスのための通信を各々が同時にサポートする、いくつかの基地局を含んでよい。
【０００４】
データをUEへ送信するために、ワイヤレス通信システムは、制御情報を使用してデータ送信のためのUEへのリソースを許可し得る。場合によっては、制御情報およびユーザデータは、TTIの冒頭のシンボルの中に含まれる制御情報とともに同じ送信時間区間(TTI:Transmission Time Interval)の中で送信されることがある。いくつかの例では、広帯域を介してユーザデータを送信しながら狭帯域を介して制御情報を送信することが望ましい場合がある。ただし、同じスロットの中で、狭帯域を介して制御情報を送信するために、また広帯域を介してデータを送信するために、基地局は、2つの送信の間に送信ギャップを導入して受信機を狭帯域モードから広帯域モードに再同調するための時間をUEに与えてよい。この送信ギャップは、システムの中にレイテンシをもたらすことがあり、スループットを低減することがある。
【発明の概要】
【課題を解決するための手段】
【０００５】
ワイヤレス通信デバイスは、スループットを改善しレイテンシを低減する方法での制御情報送信およびデータ送信のために、クラスタ化送信方式と分散型送信方式との間で切り替えてよい。場合によっては、基地局は、クラスタ化制御情報送信方式が使用されること、およびどの制御情報セットがUE用の情報を搬送するのかを示すための監視パターンを、UEに示してよい。クラスタ化送信方式を使用する基地局は、やはりクラスタ化され得る後続のダウンリンクデータ送信をスケジュールする連続した制御情報リソースセット(「制御情報送信クラスタ」)を送信してよい。場合によっては、基地局は、分散型制御情報送信方式が使用されることをUEに示してよい。分散型送信方式を使用する基地局は、インターリーブされた制御情報送信およびダウンリンクデータ送信を送信してよい。有益には、基地局およびUEは、スループットを改善しレイテンシを低減する方法で制御送信およびデータ送信をスケジュールするとき、本明細書で説明する技法を適用し得る。
【０００６】
基地局におけるワイヤレス通信の方法が説明される。方法は、制御情報送信に対してクラスタ化方式または分散型方式のうちのどちらが構成されるのかという表示を送信することと、第1のデータ送信を第2の時間リソース中にスケジュールする第1の制御情報を、第1の時間リソース中に送信することであって、第1の時間リソースが、表示に基づいて選択されることと、第2のデータ送信を第4の時間リソース中にスケジュールする第2の制御情報を、第3の時間リソース中に送信することであって、第3の時間リソースが、表示に基づいて選択されることと、第1のデータ送信を第2の時間リソース中に送信することと、第2のデータ送信を第4の時間リソース中に送信することとを含んでよい。
【０００７】
基地局におけるワイヤレス通信のための装置が説明される。装置は、プロセッサと、プロセッサと電子通信しているメモリと、メモリの中に記憶された命令とを含んでよい。命令は、装置に、制御情報送信に対してクラスタ化方式または分散型方式のうちのどちらが構成されるのかという表示を送信することと、第1のデータ送信を第2の時間リソース中にスケジュールする第1の制御情報を、第1の時間リソース中に送信することであって、第1の時間リソースが、表示に基づいて選択されることと、第2のデータ送信を第4の時間リソース中にスケジュールする第2の制御情報を、第3の時間リソース中に送信することであって、第3の時間リソースが、表示に基づいて選択されることと、第1のデータ送信を第2の時間リソース中に送信することと、第2のデータ送信を第4の時間リソース中に送信することとを行わせるように、プロセッサによって実行可能であってよい。
【０００８】
基地局におけるワイヤレス通信のための別の装置が説明される。装置は、制御情報送信に対してクラスタ化方式または分散型方式のうちのどちらが構成されるのかという表示を送信することと、第1のデータ送信を第2の時間リソース中にスケジュールする第1の制御情報を、第1の時間リソース中に送信することであって、第1の時間リソースが、表示に基づいて選択されることと、第2のデータ送信を第4の時間リソース中にスケジュールする第2の制御情報を、第3の時間リソース中に送信することであって、第3の時間リソースが、表示に基づいて選択されることと、第1のデータ送信を第2の時間リソース中に送信することと、第2のデータ送信を第4の時間リソース中に送信することとを行うための手段を含んでよい。
【０００９】
基地局におけるワイヤレス通信のためのコードを記憶する非一時的コンピュータ可読媒体が説明される。コードは、制御情報送信に対してクラスタ化方式または分散型方式のうちのどちらが構成されるのかという表示を送信することと、第1のデータ送信を第2の時間リソース中にスケジュールする第1の制御情報を、第1の時間リソース中に送信することであって、第1の時間リソースが、表示に基づいて選択されることと、第2のデータ送信を第4の時間リソース中にスケジュールする第2の制御情報を、第3の時間リソース中に送信することであって、第3の時間リソースが、表示に基づいて選択されることと、第1のデータ送信を第2の時間リソース中に送信することと、第2のデータ送信を第4の時間リソース中に送信することとを行うように、プロセッサによって実行可能な命令を含んでよい。
【００１０】
本明細書で説明する方法、装置、および非一時的コンピュータ可読媒体のいくつかの例では、表示は、制御情報送信に対してクラスタ化方式が構成され得ることを示し、ここで、第1の制御情報および第2の制御情報は、制御情報送信クラスタの中で送信されてよい。
【００１１】
本明細書で説明する方法、装置、および非一時的コンピュータ可読媒体のいくつかの例では、第1の制御情報は第1のビーム方向で送信されてよく、第2の制御情報は第2のビーム方向で送信されてよい。
【００１２】
本明細書で説明する方法、装置、および非一時的コンピュータ可読媒体のいくつかの例は、同期信号送信に対応するビームパターンと制御情報送信クラスタの制御情報ビームパターンとの間のマッピングパターンを送信するための、動作、機能、手段、または命令をさらに含んでよい。
【００１３】
本明細書で説明する方法、装置、および非一時的コンピュータ可読媒体のいくつかの例は、制御情報送信クラスタに対する監視パターンを示すための、動作、機能、手段、または命令をさらに含んでよい。
【００１４】
本明細書で説明する方法、装置、および非一時的コンピュータ可読媒体のいくつかの例では、第2の時間リソースおよび第4の時間リソースは、第1の時間リソースおよび第3の時間リソースの後に出現する。
【００１５】
本明細書で説明する方法、装置、および非一時的コンピュータ可読媒体のいくつかの例では、第2の時間リソースは第1の時間リソースの後に出現し、ここで、第3の時間リソースは第2の時間リソースの後に出現し、ここで、第4の時間リソースは第3の時間リソースの後に出現する。
【００１６】
本明細書で説明する方法、装置、および非一時的コンピュータ可読媒体のいくつかの例では、表示は、制御情報送信に対して分散型方式が構成され得ることを示す。
【００１７】
本明細書で説明する方法、装置、および非一時的コンピュータ可読媒体のいくつかの例では、表示はマスタ情報ブロック(MIB:Master Information Block)の中で送信されてよい。
【００１８】
本明細書で説明する方法、装置、および非一時的コンピュータ可読媒体のいくつかの例では、第1の制御情報は第1の周波数帯域幅を介して送信されてよく、ここで、第1のデータ送信は第2の周波数帯域幅を介して送信されてよく、ここで、第2の制御情報は第3の周波数帯域幅を介して送信されてよく、ここで、第2のデータ送信は第4の周波数帯域幅を介して送信されてよい。
【００１９】
本明細書で説明する方法、装置、および非一時的コンピュータ可読媒体のいくつかの例では、第1の周波数帯域幅は第2の周波数帯域幅よりも狭くてよく、ここで、第3の周波数帯域幅は第4の周波数帯域幅よりも狭くてよい。
【００２０】
本明細書で説明する方法、装置、および非一時的コンピュータ可読媒体のいくつかの例では、第1の周波数帯域幅は第2の周波数帯域幅と同じサイズであってよく、ここで、第3の周波数帯域幅は第4の周波数帯域幅と同じサイズであってよい。
【００２１】
本明細書で説明する方法、装置、および非一時的コンピュータ可読媒体のいくつかの例では、第1の周波数帯域幅は周波数において第2の周波数帯域幅とオーバーラップしていなくてよく、ここで、第3の周波数帯域幅は第4の周波数帯域幅とオーバーラップしていなくてよい。
【００２２】
本明細書で説明する方法、装置、および非一時的コンピュータ可読媒体のいくつかの例では、第1のデータ送信または第2のデータ送信は、SIBメッセージ、ランダムアクセス応答メッセージ、ページングメッセージ、またはユーザデータブロックを含む。
【００２３】
UEにおけるワイヤレス通信の方法が説明される。方法は、制御情報送信に対してクラスタ化方式または分散型方式のうちのどちらが構成されるのかという表示を基地局から受信することと、UE用の制御情報に対する制御情報リソースセットを、表示に基づいて監視することと、UE用の制御情報を監視に基づいて第1の時間リソース中に識別することであって、制御情報が、UEのためのデータ送信を第2の時間リソース中にスケジュールすることと、第2の時間リソース中にデータ送信を受信することとを含んでよい。
【００２４】
UEにおけるワイヤレス通信のための装置が説明される。装置は、プロセッサと、プロセッサと電子通信しているメモリと、メモリの中に記憶された命令とを含んでよい。命令は、装置に、制御情報送信に対してクラスタ化方式または分散型方式のうちのどちらが構成されるのかという表示を基地局から受信することと、UE用の制御情報に対する制御情報リソースセットを、表示に基づいて監視することと、UE用の制御情報を監視に基づいて第1の時間リソース中に識別することであって、制御情報が、UEのためのデータ送信を第2の時間リソース中にスケジュールすることと、第2の時間リソース中にデータ送信を受信することとを行わせるように、プロセッサによって実行可能であってよい。
【００２５】
UEにおけるワイヤレス通信のための別の装置が説明される。装置は、制御情報送信に対してクラスタ化方式または分散型方式のうちのどちらが構成されるのかという表示を基地局から受信することと、UE用の制御情報に対する制御情報リソースセットを、表示に基づいて監視することと、UE用の制御情報を監視に基づいて第1の時間リソース中に識別することであって、制御情報が、UEのためのデータ送信を第2の時間リソース中にスケジュールすることと、第2の時間リソース中にデータ送信を受信することとを行うための手段を含んでよい。
【００２６】
UEにおけるワイヤレス通信のためのコードを記憶する非一時的コンピュータ可読媒体が説明される。コードは、制御情報送信に対してクラスタ化方式または分散型方式のうちのどちらが構成されるのかという表示を基地局から受信することと、UE用の制御情報に対する制御情報リソースセットを、表示に基づいて監視することと、UE用の制御情報を監視に基づいて第1の時間リソース中に識別することであって、制御情報が、UEのためのデータ送信を第2の時間リソース中にスケジュールすることと、第2の時間リソース中にデータ送信を受信することとを行うように、プロセッサによって実行可能な命令を含んでよい。
【００２７】
本明細書で説明する方法、装置、および非一時的コンピュータ可読媒体のいくつかの例では、表示は、制御情報送信に対してクラスタ化方式が構成され得ることを示し、ここで、第1の時間リソースは制御情報送信クラスタ中に出現し、ここで、制御情報送信クラスタは第2の時間リソースの前に出現する。
【００２８】
本明細書で説明する方法、装置、および非一時的コンピュータ可読媒体のいくつかの例は、制御情報送信クラスタに対する監視パターンの表示を基地局から受信するための、動作、機能、手段、または命令をさらに含んでよい。
【００２９】
本明細書で説明する方法、装置、および非一時的コンピュータ可読媒体のいくつかの例は、基地局によって送信される1つまたは複数の同期信号に基づいて、好適な送信ビーム方向を識別するための、動作、機能、手段、または命令をさらに含んでよく、ここで、制御情報送信クラスタの中での制御情報リソースセットのロケーションは、好適な送信ビーム方向に対応する。
【００３０】
本明細書で説明する方法、装置、および非一時的コンピュータ可読媒体のいくつかの例は、同期信号送信に対応するビームパターンと制御情報送信クラスタの制御情報ビームパターンとの間のマッピングパターンを受信し、ビームパターンおよびマッピングパターンに基づいて第1の時間リソースを識別するための、動作、機能、手段、または命令をさらに含んでよい。
【００３１】
本明細書で説明する方法、装置、および非一時的コンピュータ可読媒体のいくつかの例では、表示は、制御情報送信に対して分散型方式が構成され得ることを示す。
【００３２】
本明細書で説明する方法、装置、および非一時的コンピュータ可読媒体のいくつかの例では、表示は、マスタ情報ブロック(MIB)、SIB、RRCシグナリング、メディアアクセス制御(MAC)制御要素(CE:Control Element)、またはDCIの中で受信されてよい。
【００３３】
本明細書で説明する方法、装置、および非一時的コンピュータ可読媒体のいくつかの例では、制御情報は第1の周波数帯域幅を介して受信されてよく、ここで、データ送信は第2の周波数帯域幅を介して受信されてよい。
【００３４】
本明細書で説明する方法、装置、および非一時的コンピュータ可読媒体のいくつかの例では、第1の周波数帯域幅は第2の周波数帯域幅よりも狭くてよい。
【００３５】
本明細書で説明する方法、装置、および非一時的コンピュータ可読媒体のいくつかの例では、第1の周波数帯域幅は第2の周波数帯域幅と同じサイズであってよい。
【００３６】
本明細書で説明する方法、装置、および非一時的コンピュータ可読媒体のいくつかの例では、第1の周波数帯域幅は周波数において第2の周波数帯域幅とオーバーラップする。
【００３７】
本明細書で説明する方法、装置、および非一時的コンピュータ可読媒体のいくつかの例では、データ送信は、SIBメッセージ、ランダムアクセス応答メッセージ、ページングメッセージ、またはユーザデータブロックを含む。
【００３８】
ワイヤレス通信の方法が説明される。方法は、基地局によってサービスされる第1のユーザ機器(UE)に対して、第1のUEの受信機の受信帯域幅の再同調に関連する第1の遅延を識別することと、基地局によってサービスされる第2のUEに対して、第2のUEの受信機の受信帯域幅の再同調に関連する第2の遅延を識別することと、第1のUEのための第1のデータ送信を第2の周波数帯域幅を介した第2の時間リソース中にスケジュールする第1のダウンリンク許可を、第1の周波数帯域幅を介して第1の時間リソース中に送信することであって、第2の時間リソースが、第1の時間リソースおよび第1の遅延に少なくとも部分的に基づいて選択されることと、第2のUEのための第2のデータ送信を第4の周波数帯域幅を介した第4の時間リソース中にスケジュールする第2のダウンリンク許可を、第3の周波数帯域幅を介して第3の時間リソース中に送信することであって、第4の時間リソースが、第3の時間リソースおよび第2の遅延に少なくとも部分的に基づいて選択されることと、第2の周波数帯域幅を介して第2の時間リソース中に第1のデータ送信を送信することと、第2の周波数帯域幅を介して第4の時間リソース中に第2のデータ送信を送信することとを含んでよい。
【００３９】
ワイヤレス通信のための装置が説明される。装置は、基地局によってサービスされる第1のユーザ機器(UE)に対して、第1のUEの受信機の受信帯域幅の再同調に関連する第1の遅延を識別するための手段と、基地局によってサービスされる第2のUEに対して、第2のUEの受信機の受信帯域幅の再同調に関連する第2の遅延を識別するための手段と、第1のUEのための第1のデータ送信を第2の周波数帯域幅を介した第2の時間リソース中にスケジュールする第1のダウンリンク許可を、第1の周波数帯域幅を介して第1の時間リソース中に送信するための手段であって、第2の時間リソースが、第1の時間リソースおよび第1の遅延に少なくとも部分的に基づいて選択される、手段と、第2のUEのための第2のデータ送信を第4の周波数帯域幅を介した第4の時間リソース中にスケジュールする第2のダウンリンク許可を、第3の周波数帯域幅を介して第3の時間リソース中に送信するための手段であって、第4の時間リソースが、第3の時間リソースおよび第2の遅延に少なくとも部分的に基づいて選択される、手段と、第2の周波数帯域幅を介して第2の時間リソース中に第1のデータ送信を送信するための手段と、第2の周波数帯域幅を介して第4の時間リソース中に第2のデータ送信を送信するための手段とを含んでよい。
【００４０】
ワイヤレス通信のための別の装置が説明される。装置は、プロセッサと、プロセッサと電子通信しているメモリと、メモリの中に記憶された命令とを含んでよい。命令は、プロセッサに、基地局によってサービスされる第1のユーザ機器(UE)に対して、第1のUEの受信機の受信帯域幅の再同調に関連する第1の遅延を識別することと、基地局によってサービスされる第2のUEに対して、第2のUEの受信機の受信帯域幅の再同調に関連する第2の遅延を識別することと、第1のUEのための第1のデータ送信を第2の周波数帯域幅を介した第2の時間リソース中にスケジュールする第1のダウンリンク許可を、第1の周波数帯域幅を介して第1の時間リソース中に送信することであって、第2の時間リソースが、第1の時間リソースおよび第1の遅延に少なくとも部分的に基づいて選択されることと、第2のUEのための第2のデータ送信を第4の周波数帯域幅を介した第4の時間リソース中にスケジュールする第2のダウンリンク許可を、第3の周波数帯域幅を介して第3の時間リソース中に送信することであって、第4の時間リソースが、第3の時間リソースおよび第2の遅延に少なくとも部分的に基づいて選択されることと、第2の周波数帯域幅を介して第2の時間リソース中に第1のデータ送信を送信することと、第2の周波数帯域幅を介して第4の時間リソース中に第2のデータ送信を送信することとを行わせるように動作可能であってよい。
【００４１】
ワイヤレス通信のための非一時的コンピュータ可読媒体が説明される。非一時的コンピュータ可読媒体は、プロセッサに、基地局によってサービスされる第1のユーザ機器(UE)に対して、第1のUEの受信機の受信帯域幅の再同調に関連する第1の遅延を識別することと、基地局によってサービスされる第2のUEに対して、第2のUEの受信機の受信帯域幅の再同調に関連する第2の遅延を識別することと、第1のUEのための第1のデータ送信を第2の周波数帯域幅を介した第2の時間リソース中にスケジュールする第1のダウンリンク許可を、第1の周波数帯域幅を介して第1の時間リソース中に送信することであって、第2の時間リソースが、第1の時間リソースおよび第1の遅延に少なくとも部分的に基づいて選択されることと、第2のUEのための第2のデータ送信を第4の周波数帯域幅を介した第4の時間リソース中にスケジュールする第2のダウンリンク許可を、第3の周波数帯域幅を介して第3の時間リソース中に送信することであって、第4の時間リソースが、第3の時間リソースおよび第2の遅延に少なくとも部分的に基づいて選択されることと、第2の周波数帯域幅を介して第2の時間リソース中に第1のデータ送信を送信することと、第2の周波数帯域幅を介して第4の時間リソース中に第2のデータ送信を送信することとを行わせるように動作可能な命令を含んでよい。
【００４２】
上記で説明した方法、装置、および非一時的コンピュータ可読媒体のいくつかの例では、第1のダウンリンク許可は第1のビーム方向で送信されてよく、第2のダウンリンク許可は第2のビーム方向で送信されてよい。
【００４３】
上記で説明した方法、装置、および非一時的コンピュータ可読媒体のいくつかの例は、制御情報送信が制御情報送信クラスタの中に構成され得るという表示を送信するための、プロセス、機能、手段、または命令をさらに含んでよい。
【００４４】
上記で説明した方法、装置、および非一時的コンピュータ可読媒体のいくつかの例は、同期信号送信または基準信号送信に対応するビームパターンと制御情報送信クラスタの制御情報ビームパターンとの間のマッピングパターンを送信するための、プロセス、機能、手段、または命令をさらに含んでよい。
【００４５】
上記で説明した方法、装置、および非一時的コンピュータ可読媒体のいくつかの例は、制御情報送信クラスタに対する監視パターンを第1のUEまたは第2のUEに示すための、プロセス、機能、手段、または命令をさらに含んでよい。
【００４６】
上記で説明した方法、装置、および非一時的コンピュータ可読媒体のいくつかの例は、第1の遅延の第1の表示を第1のUEから受信するための、プロセス、機能、手段、または命令をさらに含んでよい。上記で説明した方法、装置、および非一時的コンピュータ可読媒体のいくつかの例は、第2の遅延の第2の表示を第2のUEから受信するための、プロセス、機能、手段、または命令をさらに含んでよい。
【００４７】
上記で説明した方法、装置、および非一時的コンピュータ可読媒体のいくつかの例は、第1の遅延が第2の遅延よりも長くてよいことを決定するための、プロセス、機能、手段、または命令をさらに含んでよい。上記で説明した方法、装置、および非一時的コンピュータ可読媒体のいくつかの例は、決定に少なくとも部分的に基づいて、第1のダウンリンク許可の送信を第2のダウンリンク許可の送信の前にスケジュールするための、プロセス、機能、手段、または命令をさらに含んでよい。
【００４８】
上記で説明した方法、装置、および非一時的コンピュータ可読媒体のいくつかの例では、第2の時間リソースは第1の時間リソースの後にあってよく、第4の時間リソースは第3の時間リソースの前にあってよい。
【００４９】
上記で説明した方法、装置、および非一時的コンピュータ可読媒体のいくつかの例では、第1の周波数帯域幅は第2の周波数帯域幅よりも狭くてよい。
【００５０】
上記で説明した方法、装置、および非一時的コンピュータ可読媒体のいくつかの例では、第1の周波数帯域幅は周波数において第2の周波数帯域幅とオーバーラップする。
【００５１】
上記で説明した方法、装置、および非一時的コンピュータ可読媒体のいくつかの例では、第1の周波数帯域幅は周波数において第2の周波数帯域幅とオーバーラップしていないことがある。
【００５２】
上記で説明した方法、装置、および非一時的コンピュータ可読媒体のいくつかの例では、第1の周波数帯域幅および第3の周波数帯域幅は同じであってよい。
【００５３】
上記で説明した方法、装置、および非一時的コンピュータ可読媒体のいくつかの例では、第1の周波数帯域幅および第3の周波数帯域幅は異なってよい。
【００５４】
上記で説明した方法、装置、および非一時的コンピュータ可読媒体のいくつかの例では、第2の周波数帯域幅および第4の周波数帯域幅は同じであってよい。
【００５５】
上記で説明した方法、装置、および非一時的コンピュータ可読媒体のいくつかの例では、第2の周波数帯域幅および第4の周波数帯域幅は異なってよい。
【００５６】
上記で説明した方法、装置、および非一時的コンピュータ可読媒体のいくつかの例では、第1のデータ送信または第2のデータ送信は、システム情報ブロック(SIB:System Information Block)メッセージ、ランダムアクセス応答メッセージ、ページングメッセージ、またはユーザデータブロックを備える。
【００５７】
ワイヤレス通信の方法が説明される。方法は、UE用の制御情報が制御情報送信クラスタの中に構成されるという表示を基地局から受信することと、制御情報リソースセットの表示を基地局から受信することであって、制御情報リソースセットが第1の周波数帯域幅に関連することと、制御情報送信クラスタの少なくとも一部分を求めて、UE用の制御情報に対する制御情報リソースセットを監視することと、UEに対するダウンリンク許可を監視に基づいて第1の時間リソース中に識別することであって、ダウンリンク許可が、第1のUEのためのデータ送信を、第2の周波数帯域幅を介した第2の時間リソース中にスケジュールすることと、ダウンリンク許可に少なくとも部分的に基づいて、第2の周波数帯域幅を介して第2の時間リソースの中でデータ送信を受信することとを含んでよい。
【００５８】
ワイヤレス通信のための装置が説明される。装置は、UE用の制御情報が制御情報送信クラスタの中に構成されるという表示を基地局から受信するための手段と、制御情報リソースセットの表示を基地局から受信するための手段であって、制御情報リソースセットが第1の周波数帯域幅に関連する、手段と、制御情報送信クラスタの少なくとも一部分を求めて、UE用の制御情報に対する制御情報リソースセットを監視するための手段と、UEに対するダウンリンク許可を監視に基づいて第1の時間リソース中に識別するための手段であって、ダウンリンク許可が、第1のUEのためのデータ送信を、第2の周波数帯域幅を介した第2の時間リソース中にスケジュールする、手段と、ダウンリンク許可に少なくとも部分的に基づいて、第2の周波数帯域幅を介して第2の時間リソースの中でデータ送信を受信するための手段とを含んでよい。
【００５９】
ワイヤレス通信のための別の装置が説明される。装置は、プロセッサと、プロセッサと電子通信しているメモリと、メモリの中に記憶された命令とを含んでよい。命令は、プロセッサに、UE用の制御情報が制御情報送信クラスタの中に構成されるという表示を基地局から受信することと、制御情報リソースセットの表示を基地局から受信することであって、制御情報リソースセットが第1の周波数帯域幅に関連することと、制御情報送信クラスタの少なくとも一部分を求めて、UE用の制御情報に対する制御情報リソースセットを監視することと、UEに対するダウンリンク許可を監視に基づいて第1の時間リソース中に識別することであって、ダウンリンク許可が、第1のUEのためのデータ送信を、第2の周波数帯域幅を介した第2の時間リソース中にスケジュールすることと、ダウンリンク許可に少なくとも部分的に基づいて、第2の周波数帯域幅を介して第2の時間リソースの中でデータ送信を受信することとを行わせるように動作可能であってよい。
【００６０】
ワイヤレス通信のための非一時的コンピュータ可読媒体が説明される。非一時的コンピュータ可読媒体は、プロセッサに、UE用の制御情報が制御情報送信クラスタの中に構成されるという表示を基地局から受信することと、制御情報リソースセットの表示を基地局から受信することであって、制御情報リソースセットが第1の周波数帯域幅に関連することと、制御情報送信クラスタの少なくとも一部分を求めて、UE用の制御情報に対する制御情報リソースセットを監視することと、UEに対するダウンリンク許可を監視に基づいて第1の時間リソース中に識別することであって、ダウンリンク許可が、第1のUEのためのデータ送信を、第2の周波数帯域幅を介した第2の時間リソース中にスケジュールすることと、ダウンリンク許可に少なくとも部分的に基づいて、第2の周波数帯域幅を介して第2の時間リソースの中でデータ送信を受信することとを行わせるように動作可能な命令を含んでよい。
【００６１】
上記で説明した方法、装置、および非一時的コンピュータ可読媒体のいくつかの例は、第1の周波数帯域幅を介してダウンリンク許可を受信するための、プロセス、機能、手段、または命令をさらに含んでよい。上記で説明した方法、装置、および非一時的コンピュータ可読媒体のいくつかの例は、スケジューリングに少なくとも部分的に基づいてUEの受信機を再同調するための、プロセス、機能、手段、または命令をさらに含んでよい。上記で説明した方法、装置、および非一時的コンピュータ可読媒体のいくつかの例は、受信機の再同調に少なくとも部分的に基づく第2の周波数帯域幅を介してデータ送信を受信するための、プロセス、機能、手段、または命令をさらに含んでよい。
【００６２】
上記で説明した方法、装置、および非一時的コンピュータ可読媒体のいくつかの例は、受信機の再同調に関連する遅延を基地局に示すための、プロセス、機能、手段、または命令をさらに含んでよい。
【００６３】
上記で説明した方法、装置、および非一時的コンピュータ可読媒体のいくつかの例は、制御情報送信クラスタに対する、UEのための監視パターンの表示を基地局から受信するための、プロセス、機能、手段、または命令をさらに含んでよく、監視することは、監視パターンに従って制御情報リソースセットを監視することを備える。
【００６４】
上記で説明した方法、装置、および非一時的コンピュータ可読媒体のいくつかの例は、基地局によって送信された1つもしくは複数の同期信号または1つもしくは複数の基準信号に基づいて、基地局の好適な送信ビーム方向を識別するための、プロセス、機能、手段、または命令をさらに含んでよく、制御情報送信クラスタの部分は、好適な送信ビーム方向を使用して送信される制御情報に対応する。
【００６５】
上記で説明した方法、装置、および非一時的コンピュータ可読媒体のいくつかの例は、1つもしくは複数の同期信号または1つもしくは複数の基準信号のビームパターンと制御情報送信クラスタの制御情報ビームパターンとの間のマッピングパターンを受信するための、プロセス、機能、手段、または命令をさらに含んでよい。上記で説明した方法、装置、および非一時的コンピュータ可読媒体のいくつかの例は、ビームパターンおよびマッピングパターンに少なくとも部分的に基づいて制御情報送信クラスタの部分を識別するための、プロセス、機能、手段、または命令をさらに含んでよい。
【００６６】
上記で説明した方法、装置、および非一時的コンピュータ可読媒体のいくつかの例は、UE用の制御情報が制御情報送信クラスタの中に構成され得るという表示を受信するための、プロセス、機能、手段、または命令をさらに含んでよく、マスタ情報ブロック(MIB)、システム情報ブロック(SIB)、無線リソース制御(RRC:Radio Resource Control)シグナリング、メディアアクセス制御(MAC)制御要素(CE)、またはダウンリンク制御情報(DCI:Downlink Control Information)の中で表示を受信することを備える。
【００６７】
上記で説明した方法、装置、および非一時的コンピュータ可読媒体のいくつかの例では、第1の周波数帯域幅は第2の周波数帯域幅よりも狭くてよい。
【００６８】
上記で説明した方法、装置、および非一時的コンピュータ可読媒体のいくつかの例では、第1の周波数帯域幅は周波数において第2の周波数帯域幅とオーバーラップする。
【００６９】
上記で説明した方法、装置、および非一時的コンピュータ可読媒体のいくつかの例では、第1の周波数帯域幅は周波数において第2の周波数帯域幅とオーバーラップしていないことがある。
【００７０】
上記で説明した方法、装置、および非一時的コンピュータ可読媒体のいくつかの例では、データ送信は、システム情報ブロック(SIB)メッセージ、ランダムアクセス応答メッセージ、ページングメッセージ、またはユーザデータブロックを備える。
【図面の簡単な説明】
【００７１】
【図１】本開示の様々な態様による、クラスタ化された制御情報およびデータの多重化をサポートするワイヤレス通信システムの一例を示す図である。
【図２】本開示の様々な態様による、クラスタ化された制御情報およびデータの多重化をサポートするワイヤレス通信サブシステムの一例を示す図である。
【図３】本開示の様々な態様による、制御情報およびデータの多重化のための例示的な送信構成を示す図である。
【図４】本開示の様々な態様による、クラスタ化された制御情報およびデータの多重化のための例示的な送信構成を示す図である。
【図５】本開示の様々な態様による、クラスタ化された制御情報およびデータの多重化のための例示的な送信構成を示す図である。
【図６】本開示の様々な態様による、クラスタ化された制御情報およびデータの多重化のためのプロセスフローの一例を示す図である。
【図７】本開示の態様による、クラスタ化された制御情報およびデータの多重化をサポートするデバイスのブロック図である。
【図８】本開示の態様による、クラスタ化された制御情報およびデータの多重化をサポートするデバイスのブロック図である。
【図９】本開示の態様による、クラスタ化された制御情報およびデータの多重化をサポートする基地局を含むシステムのブロック図である。
【図１０】本開示の態様による、クラスタ化された制御情報およびデータの多重化をサポートするデバイスのブロック図である。
【図１１】本開示の態様による、クラスタ化された制御情報およびデータの多重化をサポートするデバイスのブロック図である。
【図１２】本開示の態様による、クラスタ化された制御情報およびデータの多重化をサポートするUEを含むシステムのブロック図である。
【図１３】本開示の態様による、クラスタ化された制御情報およびデータの多重化のための方法を示す図である。
【図１４】本開示の態様による、クラスタ化された制御情報およびデータの多重化のための方法を示す図である。
【図１５】本開示の態様による、クラスタ化された制御情報およびデータの多重化のための方法を示す図である。
【図１６】本開示の態様による、クラスタ化された制御情報およびデータの多重化のための方法を示す図である。
【発明を実施するための形態】
【００７２】
ワイヤレス通信デバイスは、制御情報送信およびデータ送信のために、クラスタ化送信方式と分散型送信方式との間で切り替えてよい。クラスタ化送信方式を使用する基地局は、やはりクラスタ化され得る後続のダウンリンクデータ送信をスケジュールする連続した制御情報リソースセット(「制御情報送信クラスタ」)を送信してよい。分散型送信方式を使用する基地局は、インターリーブされた制御情報送信およびダウンリンクデータ送信を送信してよい。すなわち、基地局は、第1の制御情報送信および対応する第1のデータ送信を送信してよく、次いで、第2の制御情報送信および対応する第2のデータ送信を送信してよく、以下同様である。基地局は、制御送信およびデータ送信の前に、クラスタ化送信方式なのかそれとも分散型送信方式なのかをUEに示してよい。有益には、本明細書で説明する技法は、スループットを改善しレイテンシを低減する、制御送信およびデータ送信のスケジューリングを改善し得る。
【００７３】
いくつかの例では、基地局は、UE用の情報を搬送する制御情報リソースセットをUEに示してよい。たとえば、クラスタ化送信方式を採用するとき、基地局は、制御情報送信クラスタの中のどの制御情報リソースセットがUE用の情報を搬送するのかをUEに示す監視パターンを示してよい。いくつかの例では、基地局は、UEの好適なビームが制御情報セットの中でのUEの制御情報のシンボル位置と相関することを、UEに示してよい。
【００７４】
いくつかの例では、ワイヤレス通信デバイスは、スループットを高めレイテンシを低減するために、クラスタをなして狭帯域制御情報送信をスケジュールしてよい。たとえば、基地局は、複数のUE用の制御情報を制御情報送信クラスタの中で送信してよく、複数のUE用のデータを後続のデータ送信クラスタの中で送信してよく、ここで、複数のUE用のデータは、制御情報によってスケジュールされる。場合によっては、制御情報は、対応するデータ送信とは異なる周波数のセットを介して送信され、対応するデータ送信は、複数のUEが、対応するデータ送信を周波数の異なるセット上で受信するように再同調することを可能にするための、制御情報送信の後の再同調遅延を観測する。追加のUE用の制御情報は、所与のUEに対して制御情報がスケジュールされた後の再同調遅延内のリソース上にスケジュールされてよい。異なる制御リソースは、異なる送信ビームに関連し得る。
【００７５】
一例では、基地局は、基地局がいくつかの送信(たとえば、システム情報、RACHシグナリング、ページング、ダウンリンク許可またはアップリンク許可など)に対して制御情報送信クラスタ方式を使用することを、関連付けられたUEに示す。基地局は、次いで、複数のUE用の制御情報を制御情報送信クラスタの中にスケジュールしてよい。制御情報クラスタは、複数のUEに対する複数の制御チャネルリソースセットを含んでよい。場合によっては、制御情報送信クラスタの長さは、再同調遅延(たとえば、平均の再同調遅延、最悪の再同調遅延、または複数のUEによって明示的に示される再同調遅延)、または制御情報に対してサポートされるビームの数に少なくとも部分的に基づく。制御情報送信クラスタの中の制御情報は、複数のUEのためのもっと後のデータ送信を(たとえば、データ送信クラスタの中に)スケジュールするために使用され得る。場合によっては、第1のUE用の制御情報を搬送する第1の制御チャネルリソースセットは、対応するデータ送信のためのデータリソースによって、UEの再同調遅延と同等の時間期間(すなわち、「再同調遅延期間」)だけ分離され得る。他のUEのための残りの制御チャネルリソースセットは、第1の制御チャネルリソースセットとデータリソースとの間の時間期間内の時間に配置されてよい。
【００７６】
場合によっては、制御情報送信クラスタ方式をサポートするためのシグナリング技法が採用され得る。たとえば、基地局は、制御情報を求めて制御情報送信クラスタの中でいくつかのビームおよび/またはいくつかのシンボル期間もしくはスロットを監視するように、UEに(たとえば、ビームまたはビーム方向の表示を送ることによって)指示してよい。いくつかの例では、示されるビームは、制御情報送信クラスタの中に1つまたは1組のシンボル期間を含む制御チャネルリソースセットに対応する。たとえば、第2のビームを監視するための表示を受信するUEは、制御情報送信クラスタの中で第2のシンボル期間またはスロットも監視してよい。他の例では、UEは、同期信号(SS:Synchronization Signal)ブロック送信またはビームフォーミングされたチャネル状態情報(CSI:Channel State Information)基準信号(CSI-RS:CSI-Reference Signal)送信に基づいて好適な送信ビームを識別してよく、制御情報送信クラスタセットの中のUE用の制御情報を搬送する制御チャネルリソースセットが、好適な送信ビームのインデックスに対応するシンボル期間において始まることを暗黙的に決定してよい。場合によっては、制御情報送信クラスタシグナリングは、マスタ情報ブロック(MIB)、システム情報ブロック(SIB)、無線リソース制御(RRC)シグナリング、メディアアクセス制御(MAC)制御要素(CE)、またはダウンリンク制御情報(DCI)の中で送信されてよい。
【００７７】
上記で紹介した本開示の特徴は、以下でワイヤレス通信システムのコンテキストでさらに説明される。次いで、クラスタ化された制御情報およびデータの多重化のための例示的なプロセスフローの具体例が説明される。本開示のこれらおよび他の特徴はさらに、クラスタ化された制御情報およびデータの多重化に関係する装置図、システム図、およびフローチャートによって図示され、それらを参照しながら説明される。
【００７８】
図1は、本開示の様々な態様による、クラスタ化された制御情報およびデータの多重化をサポートするワイヤレス通信システム100の一例を示す。ワイヤレス通信システム100は、基地局105、UE115、およびコアネットワーク130を含む。いくつかの例では、ワイヤレス通信システム100は、ロングタームエボリューション(LTE)ネットワーク、LTEアドバンスト(LTE-A)ネットワーク、または5Gニューラジオ(NR:New Radio)ネットワークであってよい。場合によっては、ワイヤレス通信システム100は、拡張ブロードバンド通信、超高信頼(すなわち、ミッションクリティカル)通信、低レイテンシ通信、および低コストかつ低複雑度のデバイスとの通信をサポートし得る。
【００７９】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100において示される通信リンク125は、UE115から基地局105へのアップリンク送信または基地局105からUE115へのダウンリンク送信を含んでよい。制御情報およびデータは、様々な技法に従ってアップリンクチャネル上またはダウンリンクチャネル上で多重化され得る。制御情報およびデータは、ダウンリンクチャネル上で、たとえば、時分割多重化(TDM)技法、周波数分割多重化(FDM)技法、またはハイブリッドTDM-FDM技法を使用して多重化され得る。いくつかの例では、ダウンリンクチャネルの送信時間区間(TTI)中に送信される制御情報は、異なる制御領域の間で(たとえば、共通制御領域と1つまたは複数のUE固有制御領域との間で)カスケード方式で分散され得る。
【００８０】
UE115は、ワイヤレス通信システム100全体にわたって分散されてよく、各UE115は、固定またはモバイルであってよい。UE115は、移動局、加入者局、モバイルユニット、加入者ユニット、ワイヤレスユニット、リモートユニット、モバイルデバイス、ワイヤレスデバイス、ワイヤレス通信デバイス、リモートデバイス、移動加入者局、アクセス端末、モバイル端末、ワイヤレス端末、リモート端末、ハンドセット、ユーザエージェント、モバイルクライアント、クライアント、または何らかの他の好適な用語で呼ばれることもある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、パーソナル電子デバイス、ハンドヘルドデバイス、パーソナルコンピュータ、ワイヤレスローカルループ(WLL)局、モノのインターネット(IoT)デバイス、インターネットオブエブリシング(IoE:Internet of Everything)デバイス、マシンタイプ通信(MTC)デバイス、アプライアンス、自動車などであってよい。
【００８１】
場合によっては、UE115はまた、(たとえば、ピアツーピア(P2P:Peer-to-Peer)またはデバイス間(D2D:Device-to-Device)プロトコルを使用して)他のUEと直接通信することが可能であり得る。D2D通信を利用するUE115のグループのうちの1つまたは複数は、セルのカバレージエリア110内にあってよい。そのようなグループの中の他のUE115は、セルのカバレージエリア110の外側にあってよく、またはさもなければ基地局105から送信を受信することが可能でない場合がある。場合によっては、D2D通信を介して通信するUE115のグループは、各UE115がグループの中のすべての他のUE115へ送信する1対多(1:M)システムを利用し得る。いくつかの場合には、基地局105は、D2D通信用のリソースのスケジューリングを容易にする。他の場合には、D2D通信は、基地局105とは無関係に実行される。
【００８２】
MTCデバイスまたはIoTデバイスなどのいくつかのUE115は、低コストまたは低複雑度のデバイスであってよく、機械間の自動化された通信、すなわち、マシンツーマシン(M2M:Machine-to-Machine)通信を提供し得る。M2MまたはMTCとは、人が介在することなく、デバイスが互いにまたは基地局と通信することを可能にするデータ通信技術を指すことがある。たとえば、M2MまたはMTCとは、センサーまたはメーターを統合して情報を測定または獲得し、その情報を利用できる中央サーバまたはアプリケーションプログラムにその情報を中継するか、あるいはプログラムまたはアプリケーションと対話する人間にその情報を提示する、デバイスからの通信を指すことがある。いくつかのUE115は、情報を収集するように、または機械の自動化された動作を可能にするように、設計され得る。MTCデバイスに対する適用例の例は、スマートメータリング、在庫モニタリング、水位モニタリング、機器モニタリング、医療モニタリング、野生生物モニタリング、天候および地質学的事象モニタリング、船団管理および追跡、リモートセキュリティ感知、物理的アクセス制御、ならびにトランザクションベースのビジネス課金を含む。
【００８３】
基地局105は、コアネットワーク130と、また互いに通信し得る。たとえば、基地局105は、バックホールリンク132(たとえば、S1など)を通じてコアネットワーク130とインターフェースし得る。基地局105は、バックホールリンク134(たとえば、X2など)を介して直接または間接的に(たとえば、コアネットワーク130を通じて)のいずれかで互いに通信し得る。基地局105は、UE115との通信のための無線構成およびスケジューリングを実行してよく、または基地局コントローラ(図示せず)の制御下で動作してもよい。いくつかの例では、基地局105は、マクロセル、スモールセル、ホットスポットなどであってよい。基地局105は、eノードB(eNB)105、次世代ノードB(gNB)105などと呼ばれることもある。
【００８４】
場合によっては、ワイヤレス通信システム100は、階層化プロトコルスタックに従って動作するパケットベースネットワークであってよい。ユーザプレーンでは、ベアラまたはパケットデータコンバージェンスプロトコル(PDCP:Packet Data Convergence Protocol)レイヤにおける通信は、IPベースであってよい。無線リンク制御(RLC:Radio Link Control)レイヤは、場合によっては、論理チャネルを介して通信するためのパケットセグメント化および再アセンブリを実行し得る。メディアアクセス制御(MAC)レイヤは、優先処理、およびトランスポートチャネルへの論理チャネルの多重化を実行し得る。MACレイヤはまた、MACレイヤにおける再送信を行ってリンク効率を改善するために、ハイブリッド自動再送要求(HARQ:Hybrid Automatic Repeat Request)を使用し得る。制御プレーンでは、無線リソース制御(RRC)プロトコルレイヤが、ユーザプレーンデータのための無線ベアラをサポートする、UE115と基地局105またはコアネットワーク130との間のRRC接続の確立、構成、および保守を行い得る。物理(PHY)レイヤにおいて、トランスポートチャネルは物理チャネルにマッピングされ得る。
【００８５】
ワイヤレス通信システム100は、複数のセルまたはキャリア上での動作、すなわち、キャリアアグリゲーション(CA:Carrier Aggregation)またはマルチキャリア動作と呼ばれることがある機能をサポートし得る。キャリアは、コンポーネントキャリア(CC:Component Carrier)、レイヤ、チャネルなどと呼ばれることもある。「キャリア」、「コンポーネントキャリア」、および「チャネル」という用語は、本明細書では互換的に使用され得る。UE115は、キャリアアグリゲーションのために、複数のダウンリンクCCおよび1つまたは複数のアップリンクCCを用いて構成され得る。キャリアアグリゲーションは、周波数分割複信(FDD)コンポーネントキャリアと時分割複信(TDD)コンポーネントキャリアの両方とともに使用され得る。
【００８６】
場合によっては、ワイヤレス通信システム100は、拡張コンポーネントキャリア(eCC:enhanced Component Carrier)を利用し得る。eCCは、より広い帯域幅、より短いシンボル持続時間、より短いTTI、および修正された制御チャネル構成を含む、1つまたは複数の機能によって特徴づけられてよい。場合によっては、eCCは、(たとえば、複数のサービングセルが準最適または非理想的なバックホールリンクを有するとき)キャリアアグリゲーション構成またはデュアル接続性構成に関連し得る。eCCはまた、(2つ以上の事業者がスペクトルを使用することを許容される場合)無認可スペクトルまたは共有スペクトルでの使用のために構成され得る。広い帯域幅によって特徴づけられたeCCは、全帯域幅を監視することが可能でないか、または(たとえば、電力を節約するために)限られた帯域幅を使用することを好む、UE115によって利用され得る1つまたは複数のセグメントを含んでよい。
【００８７】
場合によっては、eCCは、他のCCのシンボル持続時間と比較して短縮されたシンボル持続時間の使用を含み得る、他のCCとは異なるシンボル持続時間を利用し得る。より短いシンボル持続時間は、サブキャリア間隔の増大に関連し得る。eCCにおけるTTIは、1つまたは複数のシンボルからなり得る。場合によっては、TTI持続時間(すなわち、TTIの中のシンボルの数)は可変であってよい。場合によっては、eCCは、他のCCのシンボル持続時間と比較して短縮されたシンボル持続時間の使用を含み得る、他のCCとは異なるシンボル持続時間を利用し得る。より短いシンボル持続時間は、サブキャリア間隔の増大に関連する。eCCを利用するUE115または基地局105などのデバイスは、短縮されたシンボル持続時間(たとえば、16.67マイクロ秒)において、広帯域信号(たとえば、20、40、60、80MHzなど)を送信し得る。eCCの中のTTIは、1つまたは複数のシンボルからなり得る。場合によっては、TTI持続時間(すなわち、TTIの中のシンボルの数)は可変であってよい。
【００８８】
共有無線周波数スペクトル帯域は、NR共有スペクトルシステムにおいて利用され得る。たとえば、NR共有スペクトルは、とりわけ、認可スペクトル、共有スペクトル、および無認可スペクトルの任意の組合せを利用し得る。eCCシンボル持続時間およびサブキャリア間隔のフレキシビリティにより、複数のスペクトルにわたるeCCの使用が可能になり得る。いくつかの例では、特にリソースの動的な(たとえば、周波数にわたる)垂直共有および(たとえば、時間にわたる)水平共有を通じて、NR共有スペクトルはスペクトル利用およびスペクトル効率を高め得る。無認可無線周波数スペクトル帯域の中で動作するとき、基地局105およびUE115などのワイヤレスデバイスは、データを送信する前にチャネルがクリアであることを保証するためにリッスンビフォアトーク(LBT:Listen-Before-Talk)プロシージャを採用し得る。場合によっては、無認可帯域での動作は、認可帯域で動作するCCとともにCA構成に基づいてよい。無認可スペクトルでの動作は、ダウンリンク送信、アップリンク送信、またはその両方を含んでよい。無認可スペクトルにおける複信は、FDD、TDD、またはその両方の組合せに基づいてよい。
【００８９】
ワイヤレス通信システム100は、300MHzから3GHzまでの周波数帯域を使用する極超短波(UHF)領域の中で動作し得る。この領域は、波長が約1デシメートルから1メートルまでの長さに及ぶので、デシメートル帯域と呼ばれることもある。UHF波は、主に見通し線によって伝搬することがあり、建物および環境的な地物によって遮蔽される場合がある。しかしながら、この波は、屋内に位置するUE115にサービスを提供するのに十分に壁を貫通し得る。UHF波の送信は、スペクトルの短波(HF)部分または超短波(VHF)部分のより低い周波数(および、より長い波)を使用する送信と比較して、より小型のアンテナおよびより短い距離(たとえば、100km未満)によって特徴づけられる。ワイヤレス通信システム100はまた、場合によってはセンチメートル帯域と呼ばれる、3GHzから30GHzまでの周波数帯域を使用する超高周波(SHF)領域の中で動作し得る。場合によっては、ワイヤレス通信システム100はまた、ミリメートル帯域とも呼ばれる、スペクトルの極高周波(EHF)部分(たとえば、30GHzから300GHzまで)を利用し得る。この領域を使用するシステムは、ミリ波(mmW)システムと呼ばれることがある。したがって、EHFアンテナは、UHFアンテナよりもさらに小型であり、間隔がより密であり得る。場合によっては、このことは、UE115内の(たとえば、指向性ビームフォーミングのための)アンテナアレイの使用を容易にし得る。しかしながら、EHF送信は、UHF送信よりもさらに大きい大気減衰を受けることがあり、距離がより短いことがある。本明細書で開示する技法は、1つまたは複数の異なる周波数領域を使用する送信にわたって採用され得る。
【００９０】
ワイヤレス通信システム100は、UE115と基地局105との間のミリ波(mmW)通信をサポートし得る。mmW帯域、SHF帯域、またはEHF帯域の中で動作するデバイスは、ビームフォーミングを可能にするために複数のアンテナを有してよい。ビームフォーミングはまた、(たとえば、増大したセルラーカバレージが望まれる任意のシナリオでは)これらの周波数帯域の外部で採用され得る。すなわち、基地局105は、UE115との指向性通信のためのビームフォーミング動作を行うために、複数のアンテナまたはアンテナアレイを使用し得る。ビームフォーミング(空間フィルタ処理または指向性送信と呼ばれることもある)とは、ターゲット受信機(たとえば、UE115)の方向にアンテナビーム全体を成形および/またはステアリングするために、送信機(たとえば、基地局105)において使用され得る信号処理技法である。このことは、特定の角度における送信信号が、強め合う干渉を受ける一方、他の送信信号が、弱め合う干渉を受けるような方法で、アンテナアレイの中の素子を組み合わせることによって達成され得る。たとえば、基地局105は、基地局105がUE115とのその通信におけるビームフォーミングのために使用し得るアンテナポートのいくつかの行および列を有するアンテナアレイを有してよい。信号は、異なる方向で複数回送信されてよい(たとえば、各送信は、異なるようにビームフォーミングされてよい)。mmW受信機(たとえば、UE115)は、信号を受信しながら複数のビーム(たとえば、アンテナサブアレイ)を試してよい。これらのビームの各々は、本開示の態様では受信ビームと呼ばれることがある。そのような技法(または、類似の技法)は、基地局105のカバレージエリア110を増大させるように、またはさもなければ、ワイヤレス通信システム100に利益を与えるように働くことがある。
【００９１】
多入力多出力(MIMO)ワイヤレスシステムは、送信機と受信機の両方が複数のアンテナを装備する送信方式を、送信機(たとえば、基地局105)と受信機(たとえば、UE115)との間で使用する。場合によっては、基地局105またはUE115のアンテナは、ビームフォーミングまたはMIMO動作をサポートし得る1つまたは複数のアンテナアレイ内に配置されてよい。1つまたは複数の基地局アンテナまたはアンテナアレイは、アンテナタワーなどのアンテナアセンブリにおいて一緒に置かれてよい。場合によっては、基地局105に関連するアンテナまたはアンテナアレイは、多様な地理的ロケーションに配置されてよい。基地局105は、UE115との指向性通信のためのビームフォーミング動作を行うために、複数のアンテナまたはアンテナアレイを使用し得る。
【００９２】
ワイヤレス通信システム100は、アップリンク送信とダウンリンク送信の両方をサポートするようにリソースをスケジュールし得る。たとえば、ワイヤレス通信システム100は、リソースの第1のセットをダウンリンク送信に、またリソースの第2のセットをアップリンク送信に割り振ってよい。ワイヤレス通信システム100が通信のために周波数分割複信(FDD)を利用する場合、アップリンク送信およびダウンリンク送信は同時に行われてよい。すなわち、ワイヤレス通信システム100は、周波数の第1のセットをアップリンク送信に、また周波数の第2のセットをダウンリンク送信に割り振ってよい。ワイヤレス通信システム100が通信のために時分割複信(TDD)を利用する場合、アップリンク送信およびダウンリンク送信は同時に行われなくてよい。すなわち、ワイヤレス通信システム100は、第1の区間(たとえば、1つまたは複数のサブフレーム)中に周波数リソースのすべてをダウンリンク送信に割り振ってよく、第2の区間(たとえば、後続のサブフレーム)中に周波数リソースのすべてをアップリンク送信に割り振ってよい。ワイヤレス通信システム100はまた、FDD技法とTDD技法との組合せを使用してもよい。
【００９３】
アップリンク送信およびダウンリンク送信に割り振られたリソースは、制御リソースおよびデータリソースにさらに区分されてよい。制御情報のアップリンク送信を搬送するリソースは、PUCCHとして示されてよく、データのアップリンク送信を搬送するリソースは、物理アップリンク共有チャネル(PUSCH:Physical Uplink Shared CHannel)として示されてよい。いくつかの場合には、ワイヤレス通信システム100は、TTIの中のリソースの第1のセットを制御情報に割り振ってよく(リソースの第1のセットは、制御リソース、制御チャネルリソースセット、制御リソースセット(CORESET)、PDCCH、PUCCHなどと呼ばれることがある)、残りの後続のリソースをデータ送信に割り振ってよい(残りのリソースは、データリソース、PDSCH、PUSCHなどと呼ばれることがある)。他の場合には、ワイヤレス通信システム100は、TTIの中に制御リソースおよびデータリソースを散在させてよい。
【００９４】
UE115は、ネットワークエンティティによって送信される同期信号または同期チャネルを使用してワイヤレス通信システム100と同期し得る(たとえば、セル捕捉)。いくつかの例では、基地局105は、発見基準信号を含む同期信号(SS)ブロックを送信してよい。SSブロックは、1次同期信号(PSS:Primary Synchronization Signal)、2次同期信号(SSS:Secondary Synchronization Signal)、または物理ブロードキャストチャネル(PBCH:Physical Broadcast CHannel)を含んでよい。ワイヤレスネットワークにアクセスしようと試みるUE115は、基地局105からのPSSを検出することによって初期セル探索を実行し得る。PSSは、シンボルタイミングの同期を可能にし得、物理レイヤ識別情報値を示してよい。PSSは、タイミングおよび周波数を捕捉し、また物理レイヤ識別子を獲得するために利用され得る。UE115は、次いで、SSSを受信し得る。SSSは、無線フレーム同期を可能にし得、セルグループ識別情報値を提供し得る。セルグループ識別情報値は、セルを識別する物理セル識別子(PCID:Physical Cell IDentifier)を形成するために、物理レイヤ識別子と組み合わせられてよい。SSSはまた、複信モードおよびサイクリックプレフィックス(CP:Cyclic Prefix)長の検出を可能にし得る。SSSは、他のシステム情報(たとえば、サブフレームインデックス)を獲得するために使用され得る。PBCHは、捕捉のために必要とされる追加のシステム情報(たとえば、帯域幅、フレームインデックスなど)を獲得するために使用され得る。たとえば、PBCHは、所与のセルに対するマスタ情報ブロック(MIB)および1つまたは複数のシステム情報ブロック(SIB)を搬送してよい。
【００９５】
基地局105が、基地局のセルと同期しようと試みるデバイスのロケーションを知らないことがあるので、SSブロックは、ビーム掃引して(たとえば、複数のシンボル期間にわたって)連続的に送信されてよい。場合によっては、基地局105は、ビーム掃引して8つのSSブロックを送信する(ただし、他の例では、基地局105は64個までのSSブロックを送信することもある)。基地局105と同様に、UE115は、複数のアンテナを含んでよく、複数の受信ビームを形成するためにそのアンテナに重み付けしてよい。UE115は、SSブロックのうちの1つまたは複数を受信するときに受信ビームを掃引してよく、(たとえば、ダウンリンク送信ビームとダウンリンク受信ビームとの最良に機能する組合せを含む)好適または適切なダウンリンクビームペアを決定してよい。UE115は、次いで、識別された送信ビームを基地局105に報告してよい。
【００９６】
ワイヤレス通信システム100はまた、省電力技法をサポートし得る。たとえば、基地局105は、狭い帯域幅を介して制御情報を送信してよく、ここで、制御情報は、より広い帯域幅を介したUE115へのデータ送信をスケジュールする。より広い帯域幅を監視することは、しばしば、UEにおけるより大きい電力使用量に関連する(たとえば、より広い帯域幅の信号を受信するために、増大した数のサンプルがUEによって取られることがある)ので、このようにしてUE115はエネルギーを節約し得る。UE115が、UE115を対象とする制御情報を狭帯域の中で識別すると、UE115は、より広い帯域を介して基地局105からデータを受信するための後続のロケーション(たとえば、時間および周波数ロケーション)を識別し得る。場合によっては、制御情報(たとえば、ダウンリンク許可)がそのロケーションをUE115に示す。しかしながら、UE115は、広帯域データを受信する前に、最初に受信チェーンを狭帯域構成から広帯域構成に再構成してよい。受信チェーンを狭帯域構成から広帯域構成に遷移させることまたは再同調することは、しばしば、(たとえば、数十マイクロ秒から数ミリ秒までの)いくらかの量の時間がかかる。UEが受信チェーンを遷移させるかまたは再同調するのにかかる時間は、「再同調遅延」と呼ばれることがある。したがって、基地局105は、UE115による受信チェーンの再同調に対応するために、再同調遅延にわたる送信ギャップを制御情報の送信とデータの送信との間に含めてよい。制御送信とデータ送信との間に送信ギャップを含めることは、システムレイテンシを増大させることがある。
【００９７】
場合によっては、基地局105またはUE115を含むワイヤレス通信システム100の態様は、上記で説明した狭帯域制御送信と広帯域データ送信との間で送信ギャップを利用するための技法を採用し得る。たとえば、基地局105は、(たとえば、他のビームに関連する)他のUE115への制御情報送信を送信ギャップ中にスケジュールしてよい。このようにして、送信ギャップによってワイヤレス通信システム100の中に持ち込まれるレイテンシが低減され得る。
【００９８】
図2は、本開示の様々な態様による、クラスタ化された制御情報およびデータの多重化をサポートするワイヤレス通信サブシステム200の一例を示す。ワイヤレス通信サブシステム200は、図1を参照しながら上記で説明したようにUE115または基地局105の例であってよく互いに通信し得る、UE115-a、UE115-b、および基地局105-aを含んでよい。ワイヤレス通信サブシステム200は、制御情報210およびデータ215を伝達するために使用され得る通信リンク205を含んでよい。
【００９９】
いくつかの例では、図1を参照しながら上記で説明したように、基地局105-aは、UEによる検出のためにビーム掃引してSSブロックを連続的に送信する(たとえば、第1のビーム/ビーム方向で第1のSSブロックを送信し、第2のビーム/ビーム方向で第2のSSブロックを送信し、以下同様である)。UE115-aおよびUE115-bは、送信されたSSブロックに基づいて好適なビームを(たとえば、ダウンリンクビームペアの一部として)識別してよく、それらのそれぞれの選好を基地局105-aに示してよく、基地局105-aは、UE115-aおよびUE115-bへの後続の送信に対してその好適なビームを使用してよい。たとえば、UE115-aは第1のビームを好むことがあり、UE115-bは第2のビームを好むことがある。
【０１００】
図1を参照しながら上記で説明したように、基地局105-aはまた、いくつかの送信用の広帯域データチャネルをスケジュールする狭帯域制御チャネルを使用してよい。たとえば、データ送信が、制御チャネルリソースセットによって搬送されるダウンリンク制御情報によって割り振られるようなキャリア帯域幅までの、より広い帯域幅を使用し得る間、基地局105-aは、UE115-aおよび115-bを、キャリア帯域幅のそれぞれの狭帯域サブセットであるそれぞれの制御チャネルリソースセットに対して構成してよい。いくつかの例では、制御チャネルリソースセットは、制御チャネルリソースセットに対するシンボル期間の数および周波数帯域幅を規定するパラメータによって、UE115に対して割り当てられる。UE115は、次いで、たとえば、SIBメッセージ、ランダムアクセス応答メッセージ、ページングメッセージ、および/またはこの構成を使用するダウンリンク許可メッセージもしくはアップリンク許可メッセージを示す、ダウンリンク制御情報用の各スロットの開始において、制御チャネルリソースセットを監視する。
【０１０１】
いくつかの例では、UE115-aおよびUE115-bは、受信機を狭帯域受信構成から広帯域受信構成に再同調するための再同調遅延を決定してよく、各々が、それらのそれぞれの再同調遅延の表示を基地局105-aへ送信してよい。基地局105-aは、UE115-aおよびUE115-bへの制御情報の送信と制御情報によってスケジュールされたデータの送信との間の遅延を決定するために、受信された表示を使用してよい。他の例では、狭帯域制御チャネル送信とデータ送信との間の固定された遅延が、基地局105-aによって適用されてもよい。
【０１０２】
場合によっては、基地局105-aは、制御情報送信に対して制御情報クラスタモードが使用されるべきであることを、UE115-aおよび115-bに示してよい。たとえば、基地局105-aは、SIBメッセージ、RACH応答メッセージ、ページングメッセージ、またはユーザデータなどのいくつかのタイプの送信に対して、制御情報クラスタモードを利用してよい。場合によっては、基地局105-aは、SSブロックのクラスタ化送信とともに送信されるべきPDSCH送信にとって不十分な余裕しかないとき、クラスタ化送信方式を実施してよい。たとえば、基地局105-aは、SSB送信のクラスタの中にPDSCHのための余裕がないことに起因してPDSCHを一緒にクラスタ化するように、RMSI CORESETおよびその関連するPDSCHを構成するためのオプションを有してよい。
【０１０３】
場合によっては、基地局105-aは、UE115-aおよびUE115-bの再同調期間に基づいてクラスタ化送信方式に従って情報を受信するように、UE115-aおよびUE115-bをスケジュールしてよい。たとえば、基地局105-aは、UE115-a用の制御情報を第1の制御チャネルリソースセットの中に、またUE115-aのための対応するデータ送信を、UE115-aによって示される少なくとも再同調遅延と同等の時間期間(すなわち、「再同調遅延期間)だけ第1の制御チャネルリソースセットから時間的に分離されているデータリソースの中にスケジュールしてよい。基地局105-aはまた、UE115-b用の制御情報を再同調遅延期間中の追加の制御リソースの中の第2の制御チャネルリソースセットの中にスケジュールしてよい。場合によっては、基地局105-aはまた、再同調遅延期間中に利用可能な制御リソースのすべてが利用されるまで、追加のUE用の制御情報を再同調遅延期間中の後続の制御チャネルリソースセットの中にスケジュールしてよい。いくつかの場合には、第1、第2、および/または第3の制御チャネルリソースセットは制御情報送信クラスタを構成し得る。
【０１０４】
基地局105-aは、その後、UE115-aおよびUE115-bへの送信のためのユーザデータを受信し得る。したがって、基地局105は、UE115-a用のユーザデータを第1の制御チャネルリソースセットの中にスケジュールする、UE115-a用の制御情報を送信してよく、その後、UE115-b用のユーザデータを同じ制御情報送信クラスタ内の第2の制御チャネルリソースセットの中にスケジュールする、UE115-b用の制御情報を送信してよい。いくつかの場合には、制御情報送信クラスタは単一のスロットに広がり、他の場合には、制御情報送信は複数のスロットに広がる。制御情報送信クラスタの各制御チャネルリソースは、送信ビームに関連し得る。たとえば、基地局105-aは、スロットの第1の部分の中でUE115-a用の制御情報を第1のビーム方向で、またスロットの第2の部分の中でUE115-b用の制御情報を第2のビーム方向で送信してよい。
【０１０５】
場合によっては、UEは、UEが監視するSSブロック時点と1組のPDCCH時点との間に擬似コロケーション仮定を適用してよい。たとえば、UE115-aおよびUE115-bなどのUEは、それらの対応する制御チャネルリソースセットおよびビームインデックス(たとえば、SSビームインデックスまたはCSI-RSビームインデックス)に基づいて、スロット内でのそれらの制御情報に対するロケーションを識別し得る。たとえば、UE115-aは、好適なビームとしてビーム1を選択していてよく、その制御チャネルリソースセットがスロットの第1の部分の中にありビーム1を使用して送信されることを決定してよい。いくつかの例では、制御チャネルリソースセット(たとえば、PDCCH)のロケーションは、SSBインデックス(たとえば、RMSI CORESET送信のパターン1)の関数であり得る。同様に、UE115-bは、ビーム2を選択していてよく、その制御チャネルリソースセットがスロットの第2の部分の中にありビーム2を使用して送信されることを決定してよい。上記で説明したように、UE115-bに対する制御チャネルリソースセットは、UE115-aの制御チャネルリソースセットの後に、ただし、後続の遅延期間内に配置されてよい。このようにして、基地局105-aは、UE115-aの再同調遅延期間を利用し得、システムレイテンシを低減し得る。
【０１０６】
いくつかの場合には、スロットの各部分の長さは、対応する制御チャネルリソースセットの長さによって決定され得る。たとえば、各制御チャネルリソースセットは、1シンボル期間の持続時間を有してよく、したがって、クラスタ化制御情報送信モードでは、各UEは、その好適なビームインデックスに対応するスロットのシンボル期間を識別することによって、その制御チャネルリソースセットを識別し得る。他の場合には、各制御チャネルリソースセットは、複数のシンボル期間(たとえば、2シンボル期間)の持続時間を有してよく、第1のUEは、最初の複数のシンボル期間(たとえば、第1および第2のシンボル期間)を識別することによって、その制御チャネルリソースセットを識別し得、第2のUEは、次の複数のシンボル期間(たとえば、第3および第4のシンボル期間)を識別することによって、その制御チャネルリソースセットを識別し得、以下同様である。
【０１０７】
場合によっては、スロットはさらにミニスロットに区分されてよく、ミニスロットは、1つまたは複数のシンボル期間として規定されてよく、各スロット内でインデックスが付けられてよい。いくつかの場合には、制御情報送信クラスタは複数のスロットまたは複数のミニスロットに広がり、制御チャネルリソースセットは全スロットまたは全ミニスロットに広がり、その場合、UEは、好適なビーム方向に対応するスロット番号またはミニスロット番号を識別することによって、その制御チャネルリソースセットを識別し得る。たとえば、ビーム1を好む第1のUEは、制御情報送信クラスタの中の最初のスロットまたはスロットの最初のセットを識別することによって、その制御チャネルリソースセットを識別し得、ビーム2を好む第2のUEは、次のスロットまたはスロットの次のセットの中で、その制御チャネルリソースセットを識別し得、以下同様である。
【０１０８】
他の場合には、基地局105-aは、制御情報送信クラスタ内で特定のビームまたはビームのセットを監視するようにUE115-aおよびUE115-bに指示してよい。たとえば、基地局105-aは、制御情報送信クラスタの第1のインデックスを有する第1のビーム方向を監視するようにUE115-aに指示してよい。その制御情報を識別した後、UE115-aおよびUE115-bは、対応するデータ送信のロケーションを決定し得る。場合によっては、第1の制御チャネルリソースセットの中のUE115-a用の制御情報は、UE115-aのための対応するデータ送信のロケーションを示し、第2の制御チャネルリソースセットの中のUE115-b用の制御情報は、UE115-bのための対応するデータ送信のロケーションを示す。いくつかの例では、制御情報は、対応するデータ送信のロケーションが制御情報と同じスロットの中にあることを示し、そのことは、クロスシンボルスケジューリングと呼ばれることがある。一方、他の例では、制御情報は、対応するデータ送信のロケーションが制御情報とは異なるスロットの中にあることを示し、そのことは、クロススロットスケジューリングと呼ばれることがある。たとえば、制御情報は、データ送信用のスロット内での開始シンボル期間、または制御情報を搬送するシンボル期間とデータ送信の最初のシンボル期間との間のオフセットを示してよく、そうした最初のシンボル期間は同じかまたは後続のスロットの中にあり得る。
【０１０９】
図3は、本開示の様々な態様による、多重化された制御情報およびデータの送信構成300の一例を示す。送信構成300は、図1〜図2を参照しながら上記で説明したような、UE115と基地局105との間での送信の態様を示し得る。送信構成300は、第1の制御チャネルリソースセット305-a、第2の制御チャネルリソースセット305-b、第3の制御チャネルリソースセット305-n、第1のデータリソース310-a、第2のデータリソース310-b、第3のデータリソース310-n、第1の再同調遅延期間315-a、第2の再同調遅延期間315-b、および第3の再同調遅延期間315-nを含んでよい。送信構成300は、制御情報およびユーザデータを送信するための分散型方式の一例であってよい。
【０１１０】
基地局は、制御情報を1つまたは複数のUEへ送信するために制御チャネルリソースセット305を使用し得る。たとえば、第1の制御チャネルリソースセット305-aは、第1のUE用の制御情報を搬送してよく、第2の制御チャネルリソースセット305-bは、第2のUE用の制御情報を搬送してよく、以下同様である。場合によっては、制御チャネルリソースセット305は、狭い帯域幅を介して送信される。狭い帯域幅を介して制御チャネルリソースセット305を送信することによって、UEは、狭い帯域幅しか監視しないことによって-  たとえば、より少ないサンプルしか取らないことによって-  エネルギーを節約し得、基地局も同様にエネルギーを節約し得る。場合によっては、基地局は、第1の制御チャネルリソースセット305-aの中に含まれる制御情報を第1のビーム方向で送信し、第2の制御チャネルリソースセット305-bの中に含まれる制御情報を第2のビーム方向で送信し、以下同様である。
【０１１１】
基地局は、ユーザデータを1つまたは複数のUEへ送信するためにデータリソース310を使用し得る。場合によっては、制御チャネルリソースセット305は、UEに対するデータリソース310をスケジュールするために使用される。たとえば、制御チャネルリソースセット305-aは、第1のUEに対するデータリソース310-aをスケジュールしてよい。基地局は、UEがクロススロットスケジューリングをサポートするのかそれともクロスシンボルスケジューリングをサポートするのかに基づいて、クロススロットスケジューリングまたはクロスシンボルスケジューリングを採用してよい。いくつかの場合には、データリソース310は、制御チャネルリソースセット305よりも広いかまたはそれとは異なる帯域幅を介して（たとえば、異なるサブキャリアを使用して）送信される。データ送信のためにより広い帯域幅を使用することによって、基地局は、狭い帯域幅を用いるよりも多くのデータを通信し得る。他の場合には、データリソース310は、制御チャネルリソースセット305と同じ帯域幅を介して送信される。
【０１１２】
より広い帯域幅のデータ送信を受信するために、UEは、受信機を狭帯域受信モードから広帯域受信モードに再同調することがある。この再同調遅延期間315は、(たとえば、数マイクロ秒から数ミリ秒までの)いくらかの量の時間に関連し得、UEごとに変わる場合がある。再同調遅延期間315に起因して、基地局105は、少なくとも再同調遅延期間315と同等の時間期間だけ制御送信とデータ送信とを分離してよい。たとえば、基地局は、第1の制御チャネルリソースセット305-a中に第1のUE用の制御情報を送信してよく、再同調遅延期間315-aが過ぎた後の第1のデータリソース310-a中に第1のUE用のデータをスケジュール/送信してよい。いくつかの場合には、UEは、それぞれの再同調遅延期間315に対応する値を基地局に示す。他の場合には、基地局は、再同調遅延期間315を決定するために平均または最悪の値を使用してよい。場合によっては、再同調遅延期間315は、スロットの使用されない部分をもたらすことがある。
【０１１３】
制御チャネルリソースセット305-a〜305-nは、共通の周波数帯域幅およびサイズを共有する周波数リソースを使用するものとして示されるが、場合によっては、制御チャネルリソースセット305-a〜305-nは、互いにオフセットされてよく、オーバーラップしていなくてよく(たとえば、異なるサブキャリア領域の中にあってよく)、かつ/または異なる帯域幅であってよい。同様に、データリソース310-a〜310-nは、互いにオフセットされてよく、オーバーラップしていなくてよく(たとえば、異なるサブキャリア領域の中にあってよく)、かつ/または異なる帯域幅であってよい。場合によっては、データリソース310-aは、制御チャネルリソースセット305-aと同じサイズであってよく、またはそれよりも小さくてもよい。
【０１１４】
図4は、本開示の様々な態様による、多重化かつクラスタ化された制御情報およびデータの送信構成400の一例を示す。送信構成400は、図1〜図2を参照しながら上記で説明したような、UE115と基地局105との間での送信の態様を示し得る。送信構成400は、第1の制御チャネルリソースセット405-a、第2の制御チャネルリソースセット405-b、第3の制御チャネルリソースセット405-nを含む、制御情報送信クラスタ420を含んでよい。送信構成400はまた、第1のデータリソース410-a、第2のデータリソース410-b、第3のデータリソース410-n、第1の再同調遅延期間415-a、第2の再同調遅延期間415-b、および第3の再同調遅延期間415-nを含んでよい。場合によっては、送信構成400は、シンボル期間425およびスロット430に従って構成され得る。
【０１１５】
送信構成400は、制御情報およびユーザデータを送信するためのクラスタ化方式の一例であってよい。いくつかの場合には、基地局は、図3に示すような制御情報およびデータ情報を送信する分散型モードと制御情報送信クラスタ方式との間で切り替えてよい。たとえば、基地局は、メディアアクセス制御(MAC)制御要素(CE)の中またはダウンリンク制御情報(DCI)の中の、マスタ情報ブロック(MIB)、システム情報ブロック(SIB)、無線リソース制御(RRC)シグナリングにおけるシグナリングを介して、初期アクセスプロシージャ中に、サービスされるUEに制御情報送信クラスタ方式が使用中であることを示してよい。基地局は、同様に、制御情報およびデータ情報を送信する分散型モードがいつ使用中であるのかを、サービスされるUEに示してよい。いくつかの例では、制御情報送信クラスタ方式は、複数のUEを間欠受信(DRX)サイクルのオン時間中にスケジュールするために使用される。
【０１１６】
いくつかの例では、基地局は、クラスタをなして制御送信およびデータ送信をスケジュールしてよい。たとえば、基地局は、SSブロック送信のクラスタの中にデータ(または、PDSCH)送信を送信するのに不十分なリソースしかないことを決定した後、クラスタ化された制御送信および関連するデータ送信をスケジュールしてよい。このようにして制御送信およびデータ送信をスケジュールすることによって、基地局は、再同調遅延期間415によってワイヤレスシステムの中に持ち込まれるレイテンシを低減し得る。たとえば、クラスタ化送信方式が使用中であることを1つまたは複数のUEに示した後、基地局は、最初の制御チャネルリソースセット405-aおよび制御チャネルリソースセット405-b〜405-nを含む制御情報送信クラスタ420をスケジュールしてよい。いくつかの例では、制御チャネルリソースセット405-b〜405-nは、最初の制御チャネルリソースセット405-aの後の最初の再同調遅延415-aと同等の時間期間に広がってよい。他の例では、制御チャネルリソースセット405-b〜405-nは、最初の再同調遅延415-aよりも長い時間期間に広がってよく、ビームの数、および制御チャネルリソースセット405の各々の持続時間に基づいて選択され得る。クラスタ化制御チャネルリソースセット405-a〜405-nは、それぞれのUEのためのクラスタ化データリソース410-a〜410-nをスケジュールし得る。
【０１１７】
基地局は、制御情報送信クラスタ420の中の制御チャネルリソースセットを識別するための技法を、1つまたは複数のUEに示してよい。たとえば、基地局は、UEが制御情報送信クラスタ420中の制御情報を求めて監視するための特定の送信ビームを、UEに示してよい。たとえば、基地局は、第1の送信ビーム方向を監視するように第1のUEに示してよく、第1のUEは、上記で説明したように制御チャネルリソースセット405-aを監視してよい。一例では、基地局は、制御情報送信クラスタ420へのインデックス、または監視されるべき制御情報送信クラスタ420内のビームを示すビットマップを提供することによって、監視すべき送信ビームを示してよい。他の場合には、基地局は、SSビームまたはCSI-RSビームなどのビームが制御情報送信クラスタ420のシンボル期間、スロット、またはミニスロットにどのようにマッピングされるのかを示すビットマップを、UEへ送信してよい。基地局はまた、UEによって選択された好適なビームに基づいてビームおよび対応するシンボル期間、スロット、またはミニスロットを監視するように、UEに示してよい。
【０１１８】
一例では、図1および図2を参照しながら上記で説明したように、基地局は、連続するSSブロックを送信してよく、1つまたは複数のUEのための好適な送信ビームに対する表示を受信し得る。基地局は、どの制御チャネルリソースセット405がどのUEに属するのかを示すために、それらの好適な送信ビームの、1つまたは複数のUEからの表示を使用してよい。たとえば、第1のUEは、第1のビーム方向に対する選好を示してよく、第2のUEは、第2のビーム方向に対する選好を示してよい。基地局は、UEの好適なビーム方向に基づいて、UE制御情報のロケーションを制御情報送信クラスタ420の中に割り当ててよい。したがって、第1のUEは、第1の制御チャネルリソースセット405-aが第1のUE用の制御情報を有することを識別し得、第2のUEは、第2の制御チャネルリソースセット405-bが第2のUE用の制御情報を有することを識別し得、以下同様である。
【０１１９】
いくつかの例では、第1のUEは、(たとえば、ビームインデックスを送ることによって)第1のビームに対する選好を基地局に示してよく、第2のUEは、第2のビームに対する選好を基地局に示してよい。基地局は、次いで、第1のビームを使用して送信される第1の制御チャネルリソースセット405-aの中に第1のUE用の制御情報を、また第2のビームを使用して送信される第2の制御チャネルリソースセット405-bの中に第2のUE用の制御情報をスケジュールおよび送信してよい。第1のビームに対する選好を示した後、第1のUEは、第1のビーム、および第1のシンボル期間すなわちスロット430の最初のシンボル期間を監視してよい。場合によっては、UEは、スロットを継続的に監視してよく、または制御情報のための指定されたスロットを監視してもよい。
【０１２０】
基地局は、次いで、ビーム掃引して制御情報を送信してよく、第1の制御チャネルリソースセット405-aは第1のビームを使用して送信され、第2の制御チャネルリソースセット405-bは第2のビームを使用して送信される。基地局が制御情報送信クラスタ420を送信した後、第1のUEは、第1のビームおよびスロットの最初のシンボル期間を監視することによって、第1の制御チャネルリソースセット405-aの中のその制御情報を識別し得る。同様に、第2のUEは、第2のビームおよび次のシンボル期間を監視することによって、第2の制御チャネルリソースセット405-bの中のその制御情報を識別し得、制御情報送信クラスタ420の中にスケジュールされている残りのUEに対しても同様である。制御チャネルリソースセット405はシンボル期間に従ってスケジュールされ得るが、場合によっては、制御チャネルリソースセット405およびデータリソースは、スロットまたはミニスロットに従ってスケジュールされてよく、その場合、ビームインデックスはスロットまたはミニスロットに対応し得る。
【０１２１】
いくつかの場合には、制御チャネルリソースセット405-a〜405-nは、第1の制御チャネルリソースセット405-aが第1の方向で送信される、第2の制御チャネルリソースセット405-bが第2の方向で送信される、などのように送信される。他の場合には、第1の制御チャネルリソースセット405-aは、第1の方向ではない方向で送信されてよく、制御チャネルリソースセット405-bは、第2の方向ではない方向で送信されてよく、以下同様である。たとえば、第1の制御チャネルリソースセット405-aが第2の方向で送信されてよく、第2の制御チャネルリソースセット405-bは、第1のUEのための再同調遅延期間415-aが第2のUEのための再同調遅延期間415-bよりも長いかまたは短いことに基づいて第1の方向で送信されてよく、その場合、UEは、あるビームにおいて制御チャネルリソースセット405を求めて監視してよく、そのビームに対応するシンボル期間は監視しなくてよい。
【０１２２】
割り当てられた制御チャネルリソースセット405の中の制御情報を復号した後、UEは対応するデータリソースを識別し得る。たとえば、第1のUEは、第1の制御チャネルリソースセット405-aの中の制御情報を復号し得、復号された制御情報は、対応するデータ送信が第1のデータリソース410-aに配置されることをUEに示してよい。場合によっては、また図示のように、データ送信クラスタの中でのデータのロケーションは、そのデータをスケジュールするために使用される制御チャネルリソースセットのロケーションに対応し得る。たとえば、第1の制御チャネルリソースセット405-aは、制御情報送信クラスタ420の第1の位置に配置されてよく、制御チャネルリソースセット405-aによってスケジュールされたデータは、第1のデータリソース410-aの中に含まれてよい。同様に、制御情報送信クラスタ420の第2の位置に配置される第2の制御チャネルリソースセット405-b中にスケジュールされたデータは、データ送信クラスタの第2の位置に配置されたデータリソース410中にデータをスケジュールしてよく、以下同様である。
【０１２３】
図5は、本開示の様々な態様による、多重化かつクラスタ化された制御情報およびデータの送信構成500の一例を示す。送信構成500は、図1〜図2を参照しながら上記で説明したような、UE115と基地局105との間での送信の態様を示し得る。送信構成500は、第1の制御チャネルリソースセット505-a、第2の制御チャネルリソースセット505-b、第3の制御チャネルリソースセット505-nを含む、制御情報送信クラスタ520を含んでよい。送信構成500はまた、第1のデータリソース510-a、第2のデータリソース510-b、第3のデータリソース510-n、第1の再同調遅延期間515-a、第2の再同調遅延期間515-b、および第3の再同調遅延期間515-nを含んでよい。
【０１２４】
いくつかの例では、制御情報送信クラスタ520の中での制御チャネルリソースセット505のロケーションは、必ずしもデータリソースセット525の中でのデータリソースのロケーションに対応するとは限らない。たとえば、基地局は、第1の制御チャネルリソースセット505-aによって第1のデータリソース510-aの中にスケジュールされた第1のUE用のデータ、第2の制御チャネルリソースセット505-bによって第3のデータリソース510-cの中にスケジュールされた第2のUE用のデータ、および第3の制御チャネルリソースセット505-cによって第2のデータリソース510-bの中にスケジュールされた第3のUE用のデータを送信しながら、制御情報送信クラスタ520の第1のロケーションの中で第1の制御チャネルリソースセット505-aを、制御情報送信クラスタ520の第2のロケーションの中で第2の制御チャネルリソースセット505-bを、制御情報送信クラスタ520の第3のロケーションの中で第3の制御チャネルリソースセット505-cを送信してよい。
【０１２５】
図示のように、制御情報送信クラスタ520の中での制御チャネルリソースセット505のロケーションは、必ずしもデータリソースセット525の中でのデータリソースのロケーションに対応するとは限らない。たとえば、基地局は、第1の制御チャネルリソースセット505-aによって第1のデータリソース510-aの中にスケジュールされた第1のUE用のデータ、第2の制御チャネルリソースセット505-bによって第3のデータリソース510-cの中にスケジュールされた第2のUE用のデータ、および第3の制御チャネルリソースセット505-cによって第2のデータリソース510-bの中にスケジュールされた第3のUE用のデータを送信しながら、制御情報送信クラスタ520の第1のロケーションの中で第1の制御チャネルリソースセット505-aを、制御情報送信クラスタ520の第2のロケーションの中で第2の制御チャネルリソースセット505-bを、制御情報送信クラスタ520の第3のロケーションの中で第3の制御チャネルリソースセット505-cを送信してよい。データリソースセット525内の、制御情報送信クラスタ520の中とは異なるロケーションの中に、いくつかのUEのためのデータリソースをスケジュールすることによって、基地局は、第2のビームおよび第2の制御チャネルリソースセット505-bに関連するUEが第3のビームおよび第3の制御チャネルリソースセット505-cに関連する第3のUEのための再同調遅延期間515-bよりも長い再同調遅延期間515-bを有するシナリオに対応し得る。
【０１２６】
図6は、本開示の様々な態様による、クラスタ化された制御情報およびデータの多重化のためのプロセスフロー600の一例を示す。プロセスフロー600は、図1〜図2を参照しながら上記で説明したUE115および基地局105の一例であってよいUE115-bおよび基地局105-bによって実行され得る。いくつかの例では、低電力モードで動作する基地局105-bは、制御情報送信クラスタ方式を使用して、UE115-cを含む1つまたは複数のUEへ制御情報を送信してよい。
【０１２７】
ステップ605において、基地局105-bは、同期信号および/または基準信号を送信し得る。場合によっては、基地局105-bは、ビーム掃引して連続するSSブロックを送信する。基地局105-bは、同様に、ビーム掃引してCSI-RSなどの基準信号を送信し得る。
【０１２８】
ステップ610〜630において、基地局105-bおよびUE115-cは構成シグナリングを交換し得る。場合によっては、基地局105-bは、MIB、SIB、RRCシグナリング、MAC CEの中で、またはDCIの中で、その構成シグナリングをUE115-cへ送信する。たとえば、基地局105-bは、制御チャネルリソースセット、制御情報送信方式(たとえば、分散型送信方式またはクラスタ化送信方式)、および/または制御チャネルリソースセットに対する監視パターンの表示を含む、構成シグナリングを送信し得る。場合によっては、基地局105-bは、SSブロックを送信するクラスタの中にデータ送信(たとえば、PDSCH送信)のために利用可能な不十分なリソースしかないことを決定した後、クラスタ化送信方式を示す。UE115-cは、再同調遅延および/または好適なビーム方向を含む、構成シグナリングを送信し得る。
【０１２９】
ステップ610において、基地局105-bは、基地局105-bが(たとえば、UE115-cのための狭帯域制御チャネルリソースセットを構成することによって)狭帯域を使用して制御チャネルを送信していることをUE115-cに示し得る。場合によっては、UE115-cは、ダウンリンク制御情報が狭い帯域幅を使用して送信されるべきであることを決定し得、電力を節約するために狭い周波数範囲を受信するように受信機を構成し得る。
【０１３０】
ステップ615において、基地局105-cは、制御情報送信に対してクラスタリング方式が使用されることをUE115-cに示し得る。いくつかの例では、制御情報送信に対するクラスタリング方式は、図4を参照しながら説明するように実施される。
【０１３１】
ステップ620において、基地局105-cはまた、UE115-cに割り当てられた制御情報に対する制御情報リソースセットを監視するためにUE115-cが使用し得るパターンをUE115-cに示し得る。いくつかの場合には、基地局105-cは、UE115-cが制御情報送信クラスタの中で監視すべき送信ビーム方向を明示的に示す。他の場合には、基地局105-cは、SSビームまたはCSI-RSビームなどのビームを制御情報クラスタのシンボル期間またはミニスロットにマッピングするビットマップをUE115-cに送信し得る。
【０１３２】
ステップ625において、UE115-cは、受信機を第1の帯域幅から第2の帯域幅に再同調することに関連する遅延(「再同調遅延」)を基地局105-bに示し得る。いくつかの場合には、UE115-cは、狭い帯域幅の制御チャネルが基地局105-bによって使用中であるという決定に基づいて、再同調遅延を示し得る。
【０１３３】
ステップ630において、UE115-cは、好適なビームを基地局105-bに示し得る。いくつかの例では、UE115-cは、以前に送信されたSSブロックまたはビームフォーミングされたCSI-RS信号に基づいて、好適なビームを識別する。UE115-cはまた、クロススロットスケジューリング能力またはクロスシンボルスケジューリング能力を示し得る。基地局105-cは、示された能力に基づいてクロススロットスケジューリングまたはクロスシンボルスケジューリングを適用し得る。
【０１３４】
ステップ635において、基地局105-bは、UE115-cを含む1つまたは複数のUE用の制御レイヤシグナリングまたはデータを受信し得る。いくつかの例では、基地局105-bは、UE115-c用のユーザデータを受信し得、制御情報クラスタ方式を使用してUE115-cのためのページング要求をスケジュールし得る。他の例では、基地局105-bは、UE115-c用のシステム情報を生成し得、制御情報クラスタ方式を使用してUE115-cおよび他のUEのためのMIBメッセージまたはSIBメッセージをスケジュールし得る。他の場合には、基地局105-bは、UE115-c用のユーザデータを受信し得、制御情報クラスタ方式を使用してUE115-cをスケジュールし得る。
【０１３５】
ステップ640において、基地局105-bは、UEへの制御送信およびデータ送信をスケジュールし得る。場合によっては、基地局105-bは、制御情報クラスタ送信方式に従って制御送信およびデータ送信をスケジュールし得る。たとえば、基地局105-bは、制御情報送信とデータ送信との送信間の時間差が少なくとも再同調区間と同じくらい長くなるように、UE115-cのための制御送信およびデータ送信をスケジュールし得る。
【０１３６】
ステップ645において、基地局105-bは、制御情報をUEへ送信し得る。場合によっては、基地局105-bは、図4の制御チャネルリソースセットの構成と同様に、制御情報送信クラスタの中の連続する制御チャネルリソースセットを介してUE用の制御情報を送信し得る。場合によっては、基地局105-bは、ビーム掃引パターンをなして制御情報を送信し得る。たとえば、基地局105-bは、第1の方向で第1の制御チャネルリソースセットを介してUE115-c用の第1の制御情報を送信し得、第2の方向で第2の制御チャネルリソースセットを介して第2のUE用の第2の制御情報を送信し得、以下同様である。場合によっては、基地局105-bは、送信スロットの最初の1つまたは複数のシンボル期間の中で第1の制御情報を送信し得、送信スロットの次の1つまたは複数のシンボル期間の中で第2の制御情報を送信し得、以下同様である。場合によっては、基地局105-bは、UE115-cの好適なビーム方向に対応する送信スロットのシンボル期間の中にUE115-c用の制御情報を含めてよい。たとえば、基地局105-bは、最初の2つのシンボル期間の中で、かつ第1のビーム方向で、UE115-c用の制御情報を送信し得る。
【０１３７】
また、ステップ645において、UE115-cは、基地局105-bからの制御情報送信を求めて制御チャネルリソースセットを監視し得る。監視する間、UE115-cは、UE115-cによって識別される制御チャネルリソースセットの中で基地局105-bによって送信された制御情報を受信し得、示された監視パターンに基づいて制御情報をブラインド復号し得る。いくつかの例では、UEは、UEが監視するSSブロック時点と1組のPDCCH時点との間に擬似コロケーション仮定を適用し得る。たとえば、識別される制御チャネルリソースセットは、第1のビーム方向および相関するシンボル期間に関連し得る。したがって、UE115-cは、その好適なビーム方向、または制御情報のために基地局105-bによって指定されたビーム方向を監視し得る。追加または代替として、UE115-cは、制御情報を含むスロットの最初の2つのシンボル期間を監視し得る。UE115-cは、制御チャネルリソースの中で受信された信号を復号し得、制御情報がUE115-c用であることを識別し得る。いくつかの例では、UE115-cは、複数の好適なビーム方向および/またはスロットの中のシンボル期間の複数のセットを監視し得る。
【０１３８】
ステップ650において、UE115-cは、UE115-cへのデータ送信に対してスケジュールされているデータリソースを識別し得る。場合によっては、UE115-cは、受信された制御情報に基づいてデータリソースのロケーションを識別する。たとえば、制御情報は、指定されたシンボル期間の中の周波数リソースがUE115-cへのダウンリンク送信に対して割り振られていることを、UE115-cに示し得る。
【０１３９】
ステップ655において、UE115-cは、制御情報を受信するために使用される帯域幅とは異なる帯域幅(たとえば、広い帯域幅)を介してデータを受信するように構成されるように、その受信機を再同調し得る。上記で説明したように、受信機の再同調は、1シンボル期間から複数シンボル期間(たとえば、10シンボル期間まで)にわたるいくらかの量の時間がかかることがある。
【０１４０】
ステップ660において、基地局105-bは、UE115-c用の制御情報を送信してから再同調区間が満了した後、スケジュールされたデータリソースの中でUE115-c用のデータを送信し得る。また、ステップ660において、UE115-cは、広帯域周波数を介してデータ送信を受信し得る。
【０１４１】
図7は、本開示の態様による、クラスタ化された制御情報およびデータの多重化をサポートするワイヤレスデバイス705のブロック図700を示す。ワイヤレスデバイス705は、本明細書で説明するような基地局105の態様の一例であってよい。ワイヤレスデバイス705は、受信機710、基地局制御情報マネージャ715、および送信機720を含んでよい。ワイヤレスデバイス705はまた、プロセッサを含んでよい。これらの構成要素の各々は、(たとえば、1つまたは複数のバスを介して)互いに通信していてよい。
【０１４２】
受信機710は、パケット、ユーザデータ、または様々な情報チャネル(たとえば、クラスタ化された制御情報およびデータの多重化に関係する制御チャネル、データチャネル、および情報など)に関連する制御情報などの、情報を受信し得る。情報は、デバイスの他の構成要素に渡されてよい。受信機710は、図9を参照しながら説明するトランシーバ935の態様の一例であってよい。受信機710は、単一のアンテナまたはアンテナのセットを利用し得る。
【０１４３】
基地局制御情報マネージャ715は、図9を参照しながら説明する基地局制御情報マネージャ915の態様の一例であってよい。
【０１４４】
基地局制御情報マネージャ715、および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局制御情報マネージャ715、および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別ハードウェア構成要素、または本開示で説明する機能を実行するように設計されたそれらの任意の組合せによって実行され得る。基地局制御情報マネージャ715、および/またはその様々な下位構成要素のうちの少なくともいくつかは、機能の部分が1つまたは複数の物理デバイスによって異なる物理的ロケーションにおいて実装されるように分散されることを含めて、様々な位置に物理的に配置され得る。いくつかの例では、基地局制御情報マネージャ715、および/またはその様々な下位構成要素のうちの少なくともいくつかは、本開示の様々な態様による別個のまたは異なる構成要素であってよい。他の例では、基地局制御情報マネージャ715、および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１４５】
基地局制御情報マネージャ715は、制御情報送信に対してクラスタ化方式または分散型方式のうちのどちらが構成されるのかという表示を送信してよく、第1のデータ送信を第2の時間リソース中にスケジュールする第1の制御情報を、第1の時間リソース中に送信してよく、第1の時間リソースは表示に基づいて選択される。基地局制御情報マネージャ715はまた、第2のデータ送信を第4の時間リソース中にスケジュールする第2の制御情報を、第3の時間リソース中に送信してよく、第3の時間リソースは表示に基づいて選択される。基地局制御情報マネージャ715はまた、第1のデータ送信を第2の時間リソース中に送信してよく、第2のデータ送信を第4の時間リソース中に送信してよい。
【０１４６】
基地局制御情報マネージャ715は、基地局によってサービスされる第1のユーザ機器(UE)に対して、第1のUEの受信機の受信帯域幅の再同調に関連する第1の遅延を識別してよい。基地局制御情報マネージャ715はまた、基地局によってサービスされる第2のUEに対して、第2のUEの受信機の受信帯域幅の再同調に関連する第2の遅延を識別してよい。基地局制御情報マネージャ715はまた、第1のUEのための第1のデータ送信を第2の周波数帯域幅を介した第2の時間リソース中にスケジュールする第1のダウンリンク許可を、第1の周波数帯域幅を介して第1の時間リソース中に送信してよく、第2の時間リソースは、第1の時間リソースおよび第1の遅延に基づいて選択される。基地局制御情報マネージャ715はまた、第2のUEのための第2のデータ送信を第4の周波数帯域幅を介した第4の時間リソース中にスケジュールする第2のダウンリンク許可を、第3の周波数帯域幅を介して第3の時間リソース中に送信してよく、第4の時間リソースは、第3の時間リソースおよび第2の遅延に基づいて選択される。基地局制御情報マネージャ715はまた、第2の周波数帯域幅を介して第2の時間リソース中に第1のデータ送信を送信してよい。基地局制御情報マネージャ715はまた、第2の周波数帯域幅を介して第4の時間リソース中に第2のデータ送信を送信してよい。
【０１４７】
送信機720は、デバイスの他の構成要素によって生成された信号を送信し得る。いくつかの例では、送信機720は、トランシーバモジュールの中で受信機710と一緒に置かれてよい。たとえば、送信機720は、図9を参照しながら説明するトランシーバ935の態様の一例であってよい。送信機720は、単一のアンテナまたはアンテナのセットを利用し得る。
【０１４８】
図8は、本開示の態様による、クラスタ化された制御情報およびデータの多重化をサポートするワイヤレスデバイス805のブロック図800を示す。ワイヤレスデバイス805は、図7を参照しながら説明したようなワイヤレスデバイス705または基地局105の態様の一例であってよい。ワイヤレスデバイス805は、受信機810、基地局制御情報マネージャ815、および送信機820を含んでよい。ワイヤレスデバイス805はまた、プロセッサを含んでよい。これらの構成要素の各々は、(たとえば、1つまたは複数のバスを介して)互いに通信していてよい。
【０１４９】
受信機810は、パケット、ユーザデータ、または様々な情報チャネル(たとえば、クラスタ化された制御情報およびデータの多重化に関係する制御チャネル、データチャネル、および情報など)に関連する制御情報などの、情報を受信し得る。情報は、デバイスの他の構成要素に渡されてよい。受信機810は、図9を参照しながら説明するトランシーバ935の態様の一例であってよい。受信機810は、単一のアンテナまたはアンテナのセットを利用し得る。
【０１５０】
基地局制御情報マネージャ815は、図9を参照しながら説明する基地局制御情報マネージャ915の態様の一例であってよい。基地局制御情報マネージャ815はまた、制御情報スケジューラ825、制御送信マネージャ830、およびデータ送信マネージャ835を含んでよい。
【０１５１】
制御情報スケジューラ825は、制御情報送信に対してクラスタ化方式または分散型方式のうちのどちらが構成されるのかという表示を送信してよい。いくつかの例では、制御情報スケジューラ825は、制御情報送信クラスタに対する監視パターンを示してよい。場合によっては、表示は、制御情報送信に対してクラスタ化方式が構成されることを示し、第1の制御情報および第2の制御情報は制御情報送信クラスタの中で送信される。その場合、第2の時間リソースおよび第4の時間リソースは、第1の時間リソースおよび第3の時間リソースの後に出現する。場合によっては、表示は、制御情報送信に対して分散型方式が構成されることを示す。その場合、第2の時間リソースは第1の時間リソースの後に出現してよく、第3の時間リソースは第2の時間リソースの後に出現してよく、第4の時間リソースは第3の時間リソースの後に出現してよい。
【０１５２】
制御情報スケジューラ825は、基地局によってサービスされる第1のUEに対して、第1のUEの受信機の受信帯域幅の再同調に関連する第1の遅延を識別してよい。制御情報スケジューラ825はまた、基地局によってサービスされる第2のUEに対して、第2のUEの受信機の受信帯域幅の再同調に関連する第2の遅延を識別してよい。場合によっては、制御情報スケジューラ825は、制御情報送信が制御情報送信クラスタの中に構成されるという表示を送信してよい。制御情報スケジューラ825はまた、同期信号送信または基準信号送信に対応するビームパターンと制御情報送信クラスタの制御情報ビームパターンとの間のマッピングパターンを送信してよい。制御情報スケジューラ825はまた、制御情報送信クラスタに対する監視パターンを第1のUEまたは第2のUEに示してよい。制御情報スケジューラ825はまた、第1の遅延の第1の表示を第1のUEから受信し得、第2の遅延の第2の表示を第2のUEから受信し得る。いくつかの例では、制御情報スケジューラ825は、第1の遅延が第2の遅延よりも長いことを決定してよく、決定に基づいて、第1のダウンリンク許可の送信を第2のダウンリンク許可の送信の前にスケジュールしてよい。場合によっては、第2の時間リソースは第1の時間リソースの後にあり、第4の時間リソースは第3の時間リソースの前にある。
【０１５３】
制御送信マネージャ830は、第1のデータ送信を第2の時間リソース中にスケジュールする第1の制御情報を、第1の時間リソース中に送信することであって、第1の時間リソースが表示に基づいて選択されることと、第2のデータ送信を第4の時間リソース中にスケジュールする第2の制御情報を、第3の時間リソース中に送信することであって、第3の時間リソースが表示に基づいて選択されることとを行ってよい。制御送信マネージャ830は、制御情報送信に対してクラスタ化方式が構成されるという表示を送信することに基づいて、制御情報送信クラスタの中で第1の制御情報および第2の制御情報を送信する。クラスタ化送信方式が構成されるとき、第2の時間リソースおよび第4の時間リソースは、第1の時間リソースおよび第3の時間リソースの後に出現してよい。分散型送信方式が構成されるとき、第2の時間リソースは第1の時間リソースの後に出現してよく、第3の時間リソースは第2の時間リソースの後に出現してよく、第4の時間リソースは第3の時間リソースの後に出現してよい。場合によっては、第1の周波数帯域幅は第2の周波数帯域幅よりも狭く、第3の周波数帯域幅は第4の周波数帯域幅よりも狭い。場合によっては、第1の周波数帯域幅は第2の周波数帯域幅と同じサイズであり、第3の周波数帯域幅は第4の周波数帯域幅と同じサイズである。
【０１５４】
制御送信マネージャ830は、第1のUEのための第1のデータ送信を第2の周波数帯域幅を介した第2の時間リソース中にスケジュールする第1のダウンリンク許可を、第1の周波数帯域幅を介して第1の時間リソース中に送信してよく、第2の時間リソースは、第1の時間リソースおよび第1の遅延に基づいて選択される。制御送信マネージャ830はまた、第2のUEのための第2のデータ送信を第4の周波数帯域幅を介した第4の時間リソース中にスケジュールする第2のダウンリンク許可を、第3の周波数帯域幅を介して第3の時間リソース中に送信してよく、第4の時間リソースは、第3の時間リソースおよび第2の遅延に基づいて選択される。
【０１５５】
場合によっては、第1のデータ送信または第2のデータ送信は、システム情報ブロック(SIB)メッセージ、ランダムアクセス応答メッセージ、ページングメッセージ、またはユーザデータブロックを含む。場合によっては、第1のダウンリンク許可は第1のビーム方向で送信され、第2のダウンリンク許可は第2のビーム方向で送信される。場合によっては、第1の周波数帯域幅は第2の周波数帯域幅よりも狭い。場合によっては、第1の周波数帯域幅は、周波数において第2の周波数帯域幅とオーバーラップする。場合によっては、第1の周波数帯域幅および第3の周波数帯域幅は同じである。場合によっては、第1の周波数帯域幅および第3の周波数帯域幅は異なる。場合によっては、第2の周波数帯域幅および第4の周波数帯域幅は同じである。場合によっては、第2の周波数帯域幅および第4の周波数帯域幅は異なる。場合によっては、第1の周波数帯域幅は周波数において第2の周波数帯域幅とオーバーラップしていない。
【０１５６】
データ送信マネージャ835は、第1のデータ送信を第2の時間リソース中に送信してよい。場合によっては、第1のデータは第2の周波数帯域幅を介して送信されてよい。データ送信マネージャ835は、第2のデータ送信を第4の時間リソース中に送信してよい。場合によっては、第2のデータは、第2の周波数帯域幅または第4の周波数帯域幅を介して送信されてよい。
【０１５７】
送信機820は、デバイスの他の構成要素によって生成された信号を送信し得る。いくつかの例では、送信機820は、トランシーバモジュールの中で受信機810と一緒に置かれてよい。たとえば、送信機820は、図9を参照しながら説明するトランシーバ935の態様の一例であってよい。送信機820は、単一のアンテナまたはアンテナのセットを利用し得る。
【０１５８】
図9は、本開示の態様による、クラスタ化された制御情報およびデータの多重化をサポートするデバイス905を含むシステム900の図を示す。デバイス905は、たとえば、図7および図8を参照しながら上記で説明したような、ワイヤレスデバイス705、ワイヤレスデバイス805、または基地局105の構成要素の一例であってよく、またはそれらを含んでもよい。デバイス905は、基地局制御情報マネージャ915、プロセッサ920、メモリ925、ソフトウェア930、トランシーバ935、アンテナ940、ネットワーク通信マネージャ945、および局間通信マネージャ950を含む、通信を送信および受信するための構成要素を含む双方向音声およびデータ通信のための構成要素を含んでよい。これらの構成要素は、1つまたは複数のバス(たとえば、バス910)を介して電子通信していてよい。デバイス905は、1つまたは複数のUE115とワイヤレス通信し得る。
【０１５９】
プロセッサ920は、インテリジェントハードウェアデバイス(たとえば、汎用プロセッサ、DSP、中央処理装置(CPU)、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ920は、メモリコントローラを使用してメモリアレイを動作させるように構成され得る。他の場合には、メモリコントローラは、プロセッサ920の中に統合され得る。プロセッサ920は、様々な機能(たとえば、クラスタ化された制御情報およびデータの多重化をサポートする機能またはタスク)を実行するために、メモリの中に記憶されたコンピュータ可読命令を実行するように構成され得る。
【０１６０】
メモリ925は、ランダムアクセスメモリ(RAM)および読取り専用メモリ(ROM)を含んでよい。メモリ925は、実行されたとき、本明細書で説明する様々な機能をプロセッサに実行させる命令を含む、コンピュータ可読コンピュータ実行可能ソフトウェア930を記憶し得る。場合によっては、メモリ925は、特に、周辺構成要素または周辺デバイスとの相互作用などの、基本的なハードウェア動作またはソフトウェア動作を制御し得る基本入出力システム(BIOS)を含んでよい。
【０１６１】
ソフトウェア930は、クラスタ化された制御情報およびデータの多重化をサポートするためのコードを含む、本開示の態様を実施するためのコードを含んでよい。ソフトウェア930は、システムメモリまたは他のメモリなどの非一時的コンピュータ可読媒体の中に記憶され得る。場合によっては、ソフトウェア930は、プロセッサによって直接実行可能でないことがあるが、(たとえば、コンパイルおよび実行されたとき)本明細書で説明する機能をコンピュータに実行させてよい。
【０１６２】
トランシーバ935は、上記で説明したような1つまたは複数のアンテナ、有線リンク、またはワイヤレスリンクを介して双方向に通信し得る。たとえば、トランシーバ935は、ワイヤレストランシーバを表してよく、別のワイヤレストランシーバと双方向に通信し得る。トランシーバ935はまた、送信のためにパケットを変調するとともに被変調パケットをアンテナに提供し、かつアンテナから受信されたパケットを復調するためのモデムを含んでよい。
【０１６３】
場合によっては、ワイヤレスデバイスは単一のアンテナ940を含んでよい。しかしながら、場合によっては、デバイスは、複数のワイヤレス送信を並行して送信または受信することが可能であり得る2つ以上のアンテナ940を有してよい。
【０１６４】
ネットワーク通信マネージャ945は、(たとえば、1つまたは複数の有線バックホールリンクを介した)コアネットワークとの通信を管理し得る。たとえば、ネットワーク通信マネージャ945は、1つまたは複数のUE115などのクライアントデバイスのためのデータ通信の転送を管理し得る。
【０１６５】
局間通信マネージャ950は、他の基地局105との通信を管理し得、他の基地局105と協働してUE115との通信を制御するためのコントローラまたはスケジューラを含んでよい。たとえば、局間通信マネージャ950は、ビームフォーミングまたはジョイント送信などの様々な干渉軽減技法のために、UE115への送信に対するスケジューリングを協調させ得る。いくつかの例では、局間通信マネージャ950は、基地局105の間の通信を行うために、ロングタームエボリューション(LTE)/LTE-Aワイヤレス通信ネットワーク技術内のX2インターフェースを提供し得る。
【０１６６】
図10は、本開示の態様による、クラスタ化された制御情報およびデータの多重化をサポートするワイヤレスデバイス1005のブロック図1000を示す。ワイヤレスデバイス1005は、本明細書で説明するようなUE115の態様の一例であってよい。ワイヤレスデバイス1005は、受信機1010、UE制御情報マネージャ1015、および送信機1020を含んでよい。ワイヤレスデバイス1005はまた、プロセッサを含んでよい。これらの構成要素の各々は、(たとえば、1つまたは複数のバスを介して)互いに通信していてよい。
【０１６７】
受信機1010は、パケット、ユーザデータ、または様々な情報チャネル(たとえば、クラスタ化された制御情報およびデータの多重化に関係する制御チャネル、データチャネル、および情報など)に関連する制御情報などの、情報を受信し得る。情報は、デバイスの他の構成要素に渡されてよい。受信機1010は、図12を参照しながら説明するトランシーバ1235の態様の一例であってよい。受信機1010は、単一のアンテナまたはアンテナのセットを利用し得る。
【０１６８】
UE制御情報マネージャ1015は、図12を参照しながら説明するUE制御情報マネージャ1215の態様の一例であってよい。
【０１６９】
UE制御情報マネージャ1015、および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE制御情報マネージャ1015、および/またはその様々な下位構成要素のうちの少なくともいくつかの機能は、汎用プロセッサ、DSP、ASIC、FPGAもしくは他のプログラマブル論理デバイス、個別ゲートもしくはトランジスタ論理、個別ハードウェア構成要素、または本開示で説明する機能を実行するように設計されたそれらの任意の組合せによって実行され得る。UE制御情報マネージャ1015、および/またはその様々な下位構成要素のうちの少なくともいくつかは、機能の部分が1つまたは複数の物理デバイスによって異なる物理的ロケーションにおいて実装されるように分散されることを含めて、様々な位置に物理的に配置され得る。いくつかの例では、UE制御情報マネージャ1015、および/またはその様々な下位構成要素のうちの少なくともいくつかは、本開示の様々な態様による別個のまたは異なる構成要素であってよい。他の例では、UE制御情報マネージャ1015、および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１７０】
UE制御情報マネージャ1015は、制御情報送信に対してクラスタ化方式または分散型方式のうちのどちらが構成されるのかという表示を基地局から受信し得る。UE制御情報マネージャ1015はまた、UE用の制御情報に対する制御情報リソースセットを表示に基づいて監視してよい。UE制御情報マネージャ1015はまた、UE用の制御情報を監視に基づいて第1の時間リソース中に識別してよく、制御情報は、UEのためのデータ送信を第2の時間リソース中にスケジュールする。UE制御情報マネージャ1015はまた、第2の時間リソース中にデータ送信を受信し得る。
【０１７１】
UE制御情報マネージャ1015は、UE用の制御情報が制御情報送信クラスタの中に構成されるという表示を基地局から受信し得る。UE制御情報マネージャ1015はまた、制御情報リソースセットの表示を基地局から受信することであって、制御情報リソースセットが第1の周波数帯域幅に関連することと、制御情報送信クラスタの少なくとも一部分を求めて、UE用の制御情報に対する制御情報リソースセットを監視することとを行ってよい。UE制御情報マネージャ1015はまた、UEに対するダウンリンク許可を監視に基づいて第1の時間リソース中に識別してよく、ダウンリンク許可は、第1のUEのためのデータ送信を、第2の周波数帯域幅を介した第2の時間リソース中にスケジュールする。UE制御情報マネージャ1015はまた、ダウンリンク許可に基づいて、第2の周波数帯域幅を介して第2の時間リソースの中でデータ送信を受信し得る。
【０１７２】
送信機1020は、デバイスの他の構成要素によって生成された信号を送信し得る。いくつかの例では、送信機1020は、トランシーバモジュールの中で受信機1010と一緒に置かれてよい。たとえば、送信機1020は、図12を参照しながら説明するトランシーバ1235の態様の一例であってよい。送信機1020は、単一のアンテナまたはアンテナのセットを利用し得る。
【０１７３】
図11は、本開示の態様による、クラスタ化された制御情報およびデータの多重化をサポートするUE制御情報マネージャ1115のブロック図1100を示す。UE制御情報マネージャ1115は、図12を参照しながら説明するUE制御情報マネージャ1215の態様の一例であってよい。UE制御情報マネージャ1115は、リソースモニタ1120、制御リソースモニタ1125、制御リソース識別器1130、および受信マネージャ1135を含んでよい。これらのモジュールの各々は、(たとえば、1つまたは複数のバスを介して)互いに直接または間接的に通信し得る。
【０１７４】
リソースモニタ1120は、制御情報送信に対してクラスタ化方式または分散型方式のうちのどちらが構成されるのかという第1の表示を基地局から受信し得る。場合によっては、表示は、制御情報送信に対してクラスタ化方式が構成されることを示し、ここで、第1の時間リソースは制御情報送信クラスタ中に出現し、ここで、制御情報送信クラスタは第2の時間リソースの前に出現する。場合によっては、表示は、制御情報送信に対して分散型方式が構成されることを示す。いくつかの例では、リソースモニタ1120は、制御情報送信クラスタに対する監視パターンの第2の表示を基地局から受信し得る。場合によっては、第1の表示および第2の表示は、同じ制御メッセージの中で受信される。たとえば、第1の表示は、制御メッセージの中のパラメータのビットの第1のセットに相当し得、第2の表示は、制御メッセージの中のパラメータのビットの第2のセットに相当し得る。
【０１７５】
リソースモニタ1120は、UE用の制御情報が制御情報送信クラスタの中に構成されるという表示を基地局から受信し得る。リソースモニタ1120はまた、制御情報リソースセットの表示を基地局から受信することであって、制御情報リソースセットが第1の周波数帯域幅に関連することと、基地局によって送信された1つもしくは複数の同期信号または1つもしくは複数の基準信号に基づいて、基地局の好適な送信ビーム方向を識別することであって、ここで、制御情報送信クラスタの部分が、好適な送信ビーム方向を使用して送信される制御情報に対応することとを行ってよい。リソースモニタ1120はまた、マスタ情報ブロック(MIB)、SIB、RRCシグナリング、メディアアクセス制御(MAC)制御要素(CE)、またはDCIの中で表示を受信することを含めて、UE用の制御情報が制御情報送信クラスタの中に構成されるという表示を受信し得る。
【０１７６】
制御リソースモニタ1125は、UE用の制御情報に対する制御情報リソースセットを表示に基づいて監視してよい。いくつかの例では、制御リソースモニタ1125は、基地局によって送信された1つまたは複数の同期信号に基づいて、好適な送信ビーム方向を識別してよく、ここで、制御情報送信クラスタの中での制御情報リソースセットのロケーションは、好適な送信ビーム方向に対応する。いくつかの例では、制御リソースモニタ1125は、同期信号送信に対応するビームパターンと制御情報送信クラスタの制御情報ビームパターンとの間のマッピングパターンを受信し得る。
【０１７７】
制御リソースモニタ1125は、制御情報送信クラスタの少なくとも一部分を求めて、UE用の制御情報に対する制御情報リソースセットを監視してよい。制御リソースモニタ1125はまた、制御情報送信クラスタに対する、UEのための監視パターンの表示を基地局から受信し得、ここで、監視することは、監視パターンに従って制御情報リソースセットを監視することを含む。制御リソースモニタ1125はまた、1つもしくは複数の同期信号または1つもしくは複数の基準信号のビームパターンと制御情報送信クラスタの制御情報ビームパターンとの間のマッピングパターンを受信し得る。制御リソースモニタ1125はまた、ビームパターンおよびマッピングパターンに基づいて制御情報送信クラスタの部分を識別し得る。
【０１７８】
制御リソース識別器1130は、UE用の制御情報を監視に基づいて第1の時間リソース中に識別してよく、制御情報は、UEのためのデータ送信を第2の時間リソース中にスケジュールする。いくつかの例では、制御リソース識別器1130は、ビームパターンおよびマッピングパターンに基づいて第1の時間リソースを識別し得る。
【０１７９】
制御リソース識別器1130は、UEに対するダウンリンク許可を監視に基づいて第1の時間リソース中に識別してよく、ダウンリンク許可は、第1のUEのためのデータ送信を、第2の周波数帯域幅を介した第2の時間リソース中にスケジュールする。場合によっては、第1の周波数帯域幅は第2の周波数帯域幅よりも狭い。場合によっては、第1の周波数帯域幅は、周波数において第2の周波数帯域幅とオーバーラップする。場合によっては、第1の周波数帯域幅は周波数において第2の周波数帯域幅とオーバーラップしていない。
【０１８０】
受信マネージャ1135は、第2の時間リソースの中でデータ送信を受信し得る。場合によっては、データ送信は、ダウンリンク許可に基づいて第2の周波数帯域幅を介して受信されてよく、ダウンリンク許可は第1の周波数帯域幅を介して受信される。場合によっては、受信マネージャ1135は第1の周波数帯域幅を介して制御送信を受信し得、データ送信は第2の周波数帯域幅を介して受信される。場合によっては、第1の周波数帯域幅は第2の周波数帯域幅よりも狭い。場合によっては、第1の周波数帯域幅は第2の周波数帯域幅と同じサイズである。場合によっては、第1の周波数帯域幅は、周波数において第2の周波数帯域幅とオーバーラップする。場合によっては、データ送信は、SIBメッセージ、PDCCHとそれに後続するPDSCH、ランダムアクセス応答メッセージ(たとえば、MSG2)、ページングメッセージ、またはユーザデータブロックを含む。受信マネージャ1135はまた、スケジューリングに基づいてUEの受信機を再同調し得、受信機の再同調に基づく第2の周波数帯域幅を介してデータ送信を受信し得、受信機の再同調に関連する遅延を基地局に示し得る。
【０１８１】
図12は、本開示の態様による、クラスタ化された制御情報およびデータの多重化をサポートするデバイス1205を含むシステム1200の図を示す。デバイス1205は、たとえば、図1を参照しながら上記で説明したような、UE115の構成要素の一例であってよく、またはそれを含んでもよい。デバイス1205は、UE制御情報マネージャ1215、プロセッサ1220、メモリ1225、ソフトウェア1230、トランシーバ1235、アンテナ1240、およびI/Oコントローラ1245を含む、通信を送信および受信するための構成要素を含む双方向音声およびデータ通信のための構成要素を含んでよい。これらの構成要素は、1つまたは複数のバス(たとえば、バス1210)を介して電子通信していてよい。デバイス1205は、1つまたは複数の基地局105とワイヤレス通信し得る。
【０１８２】
プロセッサ1220は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含んでよい。いくつかの場合には、プロセッサ1220は、メモリコントローラを使用してメモリアレイを動作させるように構成され得る。他の場合には、メモリコントローラは、プロセッサ1220の中に統合され得る。プロセッサ1220は、様々な機能(たとえば、クラスタ化された制御情報およびデータの多重化をサポートする機能またはタスク)を実行するために、メモリの中に記憶されたコンピュータ可読命令を実行するように構成され得る。
【０１８３】
メモリ1225は、RAMおよびROMを含んでよい。メモリ1225は、実行されたとき、本明細書で説明する様々な機能をプロセッサに実行させる命令を含む、コンピュータ可読コンピュータ実行可能ソフトウェア1230を記憶し得る。場合によっては、メモリ1225は、特に、周辺構成要素または周辺デバイスとの相互作用などの、基本的なハードウェア動作またはソフトウェア動作を制御し得るBIOSを含んでよい。
【０１８４】
ソフトウェア1230は、クラスタ化された制御情報およびデータの多重化をサポートするためのコードを含む、本開示の態様を実施するためのコードを含んでよい。ソフトウェア1230は、システムメモリまたは他のメモリなどの非一時的コンピュータ可読媒体の中に記憶され得る。場合によっては、ソフトウェア1230は、プロセッサによって直接実行可能でないことがあるが、(たとえば、コンパイルおよび実行されたとき)本明細書で説明する機能をコンピュータに実行させてよい。
【０１８５】
トランシーバ1235は、上記で説明したような1つまたは複数のアンテナ、有線リンク、またはワイヤレスリンクを介して双方向に通信し得る。たとえば、トランシーバ1235は、ワイヤレストランシーバを表してよく、別のワイヤレストランシーバと双方向に通信し得る。トランシーバ1235はまた、送信のためにパケットを変調するとともに被変調パケットをアンテナに提供し、かつアンテナから受信されたパケットを復調するためのモデムを含んでよい。
【０１８６】
場合によっては、ワイヤレスデバイスは単一のアンテナ1240を含んでよい。しかしながら、場合によっては、デバイスは、複数のワイヤレス送信を並行して送信または受信することが可能であり得る2つ以上のアンテナ1240を有してよい。
【０１８７】
I/Oコントローラ1245は、デバイス1205のための入力信号および出力信号を管理し得る。I/Oコントローラ1245はまた、デバイス1205の中に統合されない周辺機器を管理し得る。いくつかの場合には、I/Oコントローラ1245は、外部周辺機器への物理接続またはポートを表してよい。いくつかの場合には、I/Oコントローラ1245は、iOS(登録商標)、ANDROID(登録商標)、MS-DOS(登録商標)、MS-WINDOWS(登録商標)、OS/2(登録商標)、UNIX(登録商標)、LINUX(登録商標)、または知られている別のオペレーティングシステムなどのオペレーティングシステムを利用し得る。他の場合には、I/Oコントローラ1245は、モデム、キーボード、マウス、タッチスクリーン、または類似のデバイスを表してよく、またはそれらと相互作用してよい。場合によっては、I/Oコントローラ1245は、プロセッサの一部として実装され得る。場合によっては、ユーザは、I/Oコントローラ1245を介して、またはI/Oコントローラ1245によって制御されるハードウェア構成要素を介して、デバイス1205と対話し得る。
【０１８８】
図13は、本開示の態様による、クラスタ化された制御情報およびデータの多重化のための方法1300を示すフローチャートを示す。方法1300の動作は、本明細書で説明するような基地局105またはその構成要素によって実施され得る。たとえば、方法1300の動作は、図7〜図9を参照しながら説明したような基地局制御情報マネージャによって実行され得る。いくつかの例では、基地局105は、以下で説明する機能を実行するようにデバイスの機能要素を制御するためのコードのセットを実行し得る。追加または代替として、基地局105は、以下で説明する機能の態様を、専用ハードウェアを使用して実行し得る。
【０１８９】
ブロック1305において、基地局105は、基地局によってサービスされる第1のユーザ機器(UE)に対して、第1のUEの受信機の受信帯域幅の再同調に関連する第1の遅延を識別してよい。ブロック1305の動作は、本明細書で説明する方法に従って実行され得る。いくつかの例では、ブロック1305の動作の態様は、図7〜図9を参照しながら説明したような制御情報スケジューラによって実行され得る。
【０１９０】
ブロック1310において、基地局105は、基地局によってサービスされる第2のUEに対して、第2のUEの受信機の受信帯域幅の再同調に関連する第2の遅延を識別してよい。ブロック1310の動作は、本明細書で説明する方法に従って実行され得る。いくつかの例では、ブロック1310の動作の態様は、図7〜図9を参照しながら説明したような制御情報スケジューラによって実行され得る。
【０１９１】
ブロック1315において、基地局105は、第1のUEのための第1のデータ送信を第2の周波数帯域幅を介した第2の時間リソース中にスケジュールする第1のダウンリンク許可を、第1の周波数帯域幅を介して第1の時間リソース中に送信してよく、第2の時間リソースは、第1の時間リソースおよび第1の遅延に少なくとも部分的に基づいて選択される。ブロック1315の動作は、本明細書で説明する方法に従って実行され得る。いくつかの例では、ブロック1315の動作の態様は、図7〜図9を参照しながら説明したような制御送信マネージャによって実行され得る。
【０１９２】
ブロック1320において、基地局105は、第2のUEのための第2のデータ送信を第4の周波数帯域幅を介した第4の時間リソース中にスケジュールする第2のダウンリンク許可を、第3の周波数帯域幅を介して第3の時間リソース中に送信してよく、第4の時間リソースは、第3の時間リソースおよび第2の遅延に少なくとも部分的に基づいて選択される。ブロック1320の動作は、本明細書で説明する方法に従って実行され得る。いくつかの例では、ブロック1320の動作の態様は、図7〜図9を参照しながら説明したような制御送信マネージャによって実行され得る。
【０１９３】
ブロック1325において、基地局105は、第2の周波数帯域幅を介して第2の時間リソース中に第1のデータ送信を送信してよい。ブロック1325の動作は、本明細書で説明する方法に従って実行され得る。いくつかの例では、ブロック1325の動作の態様は、図7〜図9を参照しながら説明したようなデータ送信マネージャによって実行され得る。
【０１９４】
ブロック1330において、基地局105は、第2の周波数帯域幅を介して第4の時間リソース中に第2のデータ送信を送信してよい。ブロック1330の動作は、本明細書で説明する方法に従って実行され得る。いくつかの例では、ブロック1330の動作の態様は、図7〜図9を参照しながら説明したようなデータ送信マネージャによって実行され得る。
【０１９５】
図14は、本開示の態様による、クラスタ化された制御情報およびデータの多重化のための方法1400を示すフローチャートを示す。方法1400の動作は、本明細書で説明するようなUE115またはその構成要素によって実施され得る。たとえば、方法1400の動作は、図10〜図12を参照しながら説明したようなUE制御情報マネージャによって実行され得る。いくつかの例では、UE115は、以下で説明する機能を実行するようにデバイスの機能要素を制御するためのコードのセットを実行し得る。追加または代替として、UE115は、以下で説明する機能の態様を、専用ハードウェアを使用して実行し得る。
【０１９６】
ブロック1405において、UE115は、UE用の制御情報が制御情報送信クラスタの中に構成されるという表示を基地局から受信し得る。ブロック1405の動作は、本明細書で説明する方法に従って実行され得る。いくつかの例では、ブロック1405の動作の態様は、図10〜図12を参照しながら説明したようなリソースモニタによって実行され得る。
【０１９７】
ブロック1410において、UE115は、制御情報リソースセットの表示を基地局から受信し得、制御情報リソースセットは第1の周波数帯域幅に関連する。ブロック1410の動作は、本明細書で説明する方法に従って実行され得る。いくつかの例では、ブロック1410の動作の態様は、図10〜図12を参照しながら説明したようなリソースモニタによって実行され得る。
【０１９８】
ブロック1415において、UE115は、制御情報送信クラスタの少なくとも一部分を求めて、UE用の制御情報に対する制御情報リソースセットを監視してよい。ブロック1415の動作は、本明細書で説明する方法に従って実行され得る。いくつかの例では、ブロック1415の動作の態様は、図10〜図12を参照しながら説明したような制御リソースモニタによって実行され得る。
【０１９９】
ブロック1420において、UE115は、UEに対するダウンリンク許可を監視に基づいて第1の時間リソース中に識別してよく、ダウンリンク許可は、第1のUEのためのデータ送信を、第2の周波数帯域幅を介した第2の時間リソース中にスケジュールする。ブロック1420の動作は、本明細書で説明する方法に従って実行され得る。いくつかの例では、ブロック1420の動作の態様は、図10〜図12を参照しながら説明したような制御リソース識別器によって実行され得る。
【０２００】
ブロック1425において、UE115は、ダウンリンク許可に少なくとも部分的に基づいて、第2の周波数帯域幅を介して第2の時間リソースの中でデータ送信を受信し得る。ブロック1425の動作は、本明細書で説明する方法に従って実行され得る。いくつかの例では、ブロック1425の動作の態様は、図10〜図12を参照しながら説明したような受信マネージャによって実行され得る。
【０２０１】
図15は、本開示の態様による、クラスタ化された制御情報およびデータの多重化をサポートする方法1500を示すフローチャートを示す。方法1500の動作は、本明細書で説明するような基地局105またはその構成要素によって実施され得る。たとえば、方法1500の動作は、図7〜図9を参照しながら説明したような通信マネージャによって実行され得る。いくつかの例では、基地局は、以下で説明する機能を実行するように基地局の機能要素を制御するための命令のセットを実行し得る。追加または代替として、基地局は、以下で説明する機能の態様を、専用ハードウェアを使用して実行し得る。
【０２０２】
1505において、基地局は、制御情報送信に対してクラスタ化方式または分散型方式のうちのどちらが構成されるのかという表示を送信してよい。1505の動作は、本明細書で説明する方法に従って実行され得る。いくつかの例では、1505の動作の態様は、図7〜図9を参照しながら説明したような制御情報スケジューラによって実行され得る。
【０２０３】
1510において、基地局は、第1のデータ送信を第2の時間リソース中にスケジュールする第1の制御情報を、第1の時間リソース中に送信してよく、第1の時間リソースは表示に基づいて選択される。1510の動作は、本明細書で説明する方法に従って実行され得る。いくつかの例では、1510の動作の態様は、図7〜図9を参照しながら説明したような制御送信マネージャによって実行され得る。
【０２０４】
1515において、基地局は、第2のデータ送信を第4の時間リソース中にスケジュールする第2の制御情報を、第3の時間リソース中に送信してよく、第3の時間リソースは表示に基づいて選択される。1515の動作は、本明細書で説明する方法に従って実行され得る。いくつかの例では、1515の動作の態様は、図7〜図9を参照しながら説明したような制御送信マネージャによって実行され得る。
【０２０５】
1520において、基地局は、第1のデータ送信を第2の時間リソース中に送信してよい。1520の動作は、本明細書で説明する方法に従って実行され得る。いくつかの例では、1520の動作の態様は、図7〜図9を参照しながら説明したようなデータ送信マネージャによって実行され得る。
【０２０６】
1525において、基地局は、第2のデータ送信を第4の時間リソース中に送信してよい。1525の動作は、本明細書で説明する方法に従って実行され得る。いくつかの例では、1525の動作の態様は、図7〜図9を参照しながら説明したようなデータ送信マネージャによって実行され得る。
【０２０７】
図16は、本開示の態様による、クラスタ化された制御情報およびデータの多重化をサポートする方法1600を示すフローチャートを示す。方法1600の動作は、本明細書で説明するようなUE115またはその構成要素によって実施され得る。たとえば、方法1600の動作は、図10〜図12を参照しながら説明したような通信マネージャによって実行され得る。いくつかの例では、UEは、以下で説明する機能を実行するようにUEの機能要素を制御するための命令のセットを実行し得る。追加または代替として、UEは、以下で説明する機能の態様を、専用ハードウェアを使用して実行し得る。
【０２０８】
1605において、UEは、制御情報送信に対してクラスタ化方式または分散型方式のうちのどちらが構成されるのかという表示を基地局から受信し得る。1605の動作は、本明細書で説明する方法に従って実行され得る。いくつかの例では、1605の動作の態様は、図10〜図12を参照しながら説明したようなリソースモニタによって実行され得る。
【０２０９】
1610において、UEは、UE用の制御情報に対する制御情報リソースセットを表示に基づいて監視してよい。1610の動作は、本明細書で説明する方法に従って実行され得る。いくつかの例では、1610の動作の態様は、図10〜図12を参照しながら説明したような制御リソースモニタによって実行され得る。
【０２１０】
1615において、UEは、UE用の制御情報を監視に基づいて第1の時間リソース中に識別してよく、制御情報は、UEのためのデータ送信を第2の時間リソース中にスケジュールする。1615の動作は、本明細書で説明する方法に従って実行され得る。いくつかの例では、1615の動作の態様は、図10〜図12を参照しながら説明したような制御リソース識別器によって実行され得る。
【０２１１】
1620において、UEは、第2の時間リソース中にデータ送信を受信し得る。1620の動作は、本明細書で説明する方法に従って実行され得る。いくつかの例では、1620の動作の態様は、図10〜図12を参照しながら説明したような受信マネージャによって実行され得る。
【０２１２】
上記で説明した方法が可能な実装形態を説明していること、動作およびステップが再構成されてよくまたは他の方法で修正されてよいこと、ならびに他の実装形態が可能であることに留意されたい。さらに、方法のうちの2つ以上からの態様が組み合わせられてよい。
【０２１３】
本明細書で説明した技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。「システム」および「ネットワーク」という用語は、しばしば、互換的に使用される。符号分割多元接続(CDMA)システムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形形態を含む。TDMAシステムは、モバイル通信用グローバルシステム(GSM(登録商標))などの無線技術を実装し得る。
【０２１４】
OFDMAシステムは、ウルトラモバイルブロードバンド(UMB)、発展型UTRA(E-UTRA)、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサル移動電気通信システム(UMTS)の一部である。LTEおよびLTE-Aは、E-UTRAを使用するUMTSのリリースである。UTRA、E-UTRA、UMTS、LTE、LTE-A、NR、およびGSM(登録商標)は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明した技法は、上述のシステムおよび無線技術ならびに他のシステムおよび無線技術のために使用され得る。LTEシステムまたはNRシステムの態様が例として説明されることがあり、説明の大部分においてLTE用語またはNR用語が使用されることがあるが、本明細書で説明した技法はLTE適用例またはNR適用例以外に適用可能である。
【０２１５】
本明細書で説明したようなネットワークを含むLTE/LTE-Aネットワークでは、発展型ノードB(eNB)という用語は、一般に、基地局を表すために使用され得る。本明細書で説明した1つまたは複数のワイヤレス通信システムは、異なるタイプのeNBが様々な地理的領域にカバレージを提供する異種LTE/LTE-AまたはNRネットワークを含んでよい。たとえば、各eNB、次世代ノードB(gNB)、または基地局は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る。
【０２１６】
基地局は、基地トランシーバ局、無線基地局、アクセスポイント、無線トランシーバ、ノードB、eノードB(eNB)、gNB、ホームノードB、ホームeノードB、または何らかの他の好適な用語を含んでよく、または当業者によってそのように呼ばれることがある。基地局のための地理的カバレージエリアは、カバレージエリアの一部分のみを構成するセクタに分割され得る。本明細書で説明した1つまたは複数のワイヤレス通信システムは、異なるタイプの基地局(たとえば、マクロ基地局またはスモールセル基地局)を含んでよい。本明細書で説明したUEは、マクロeNB、スモールセルeNB、gNB、中継基地局などを含む、様々なタイプの基地局およびネットワーク機器と通信することが可能であり得る。異なる技術のための重複する地理的カバレージエリアがあり得る。
【０２１７】
マクロセルは、概して、比較的大きい地理的エリア(たとえば、半径数キロメートル)をカバーし、ネットワークプロバイダのサービスに加入しているUEによる無制限アクセスを可能にし得る。スモールセルは、マクロセルと同じかまたは異なる(たとえば、認可、無認可など)周波数帯域の中で動作し得る、マクロセルと比較して低電力基地局である。スモールセルは、様々な例によれば、ピコセル、フェムトセル、およびマイクロセルを含んでよい。ピコセルは、たとえば、小さい地理的エリアをカバーしてよく、ネットワークプロバイダのサービスに加入しているUEによる無制限アクセスを可能にし得る。フェムトセルも、小さい地理的エリア(たとえば、自宅)をカバーしてよく、フェムトセルとの関連付けを有するUE(たとえば、限定加入者グループ(CSG:Closed Subscriber Group)の中のUE、自宅の中のユーザ用のUEなど)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数の(たとえば、2つ、3つ、4つなどの)セル(たとえば、コンポーネントキャリア)をサポートし得る。
【０２１８】
本明細書で説明した1つまたは複数のワイヤレス通信システムは、同期動作または非同期動作をサポートし得る。同期動作の場合、基地局は類似のフレームタイミングを有してよく、異なる基地局からの送信は時間的にほぼ位置合わせされ得る。非同期動作の場合、基地局は異なるフレームタイミングを有することがあり、異なる基地局からの送信は、時間的に位置合わせされないことがある。本明細書で説明した技法は、同期動作または非同期動作のいずれに使用されてもよい。
【０２１９】
本明細書で説明したダウンリンク送信は順方向リンク送信と呼ばれることもあり、アップリンク送信は逆方向リンク送信と呼ばれることもある。たとえば、図1および図2のワイヤレス通信システム100およびワイヤレス通信サブシステム200を含む、本明細書で説明した各通信リンクは、1つまたは複数のキャリアを含んでよく、ここで、各キャリアは、複数のサブキャリア(たとえば、様々な周波数の波形信号)から構成された信号であってよい。
【０２２０】
添付の図面に関して本明細書に記載する説明は、例示的な構成を説明しており、実装され得るかまたは特許請求の範囲内に入るすべての例を表すとは限らない。本明細書で使用する「例示的」という用語は、「例、事例、または例示として働くこと」ことを意味し、「好ましい」または「他の例よりも有利な」を意味するものではない。発明を実施するための形態は、説明した技法の理解をもたらすための具体的な詳細を含む。しかしながら、これらの技法は、これらの具体的な詳細なしに実践され得る。いくつかの事例では、説明した例の概念を不明瞭にすることを回避するために、よく知られている構造およびデバイスがブロック図の形態で示される。
【０２２１】
添付の図面では、類似の構成要素または特徴は、同じ参照ラベルを有してよい。さらに、同じタイプの様々な構成要素は、参照ラベルの後に、ダッシュ、および類似の構成要素を区別する第2のラベルを続けることによって区別され得る。本明細書において第1の参照ラベルのみが使用される場合、説明は、第2の参照ラベルにかかわらず、同じ第1の参照ラベルを有する類似の構成要素のいずれにも適用可能である。
【０２２２】
本明細書で説明した情報および信号は、多種多様な技術および技法のいずれかを使用して表されてよい。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０２２３】
本明細書の本開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０２２４】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶され得るか、またはコンピュータ可読媒体を介して送信され得る。他の例および実装形態が、本開示および添付の特許請求の範囲内にある。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実装され得る。機能を実施する特徴はまた、機能の部分が異なる物理的ロケーションにおいて実装されるように分散されることを含めて、様々な位置に物理的に配置されてよい。また、特許請求の範囲内を含めて本明細書で使用する項目の列挙(たとえば、「のうちの少なくとも1つ」または「のうちの1つまたは複数」などの句が後置される項目の列挙)の中で使用される「または」は、たとえば、A、B、またはCのうちの少なくとも1つという列挙が、AまたはBまたはCまたはABまたはACまたはBCまたはABC(すなわち、AおよびBおよびC)を意味するような包括的列挙を示す。また、本明細書で使用する「に基づいて」という句は、条件の閉集合を参照するものと解釈されるべきではない。たとえば、「条件Aに基づいて」として説明されている例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同じように解釈されるものとする。
【０２２５】
コンピュータ可読媒体は、ある場所から別の場所へのコンピュータプログラムの移送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気記憶デバイス、あるいは命令またはデータ構造の形態の所望のプログラムコード手段を担持または記憶するために使用され得るとともに、汎用コンピュータもしくは専用コンピュータまたは汎用プロセッサもしくは専用プロセッサによってアクセスされ得る、任意の他の非一時的媒体を備えてよい。また、任意の接続がコンピュータ可読媒体と適切に呼ばれる。たとえば、ソフトウェアが、同軸ケーブル、光ファイバーケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(DVD)(disc)、フロッピーディスク(disk)、およびBlu-ray(登録商標)ディスク(disc)を含み、ここで、ディスク(disk)は通常、データを磁気的に再生し、ディスク(disc)はレーザーを用いてデータを光学的に再生する。上記のものの組合せも、コンピュータ可読媒体の範囲内に含まれる。
【０２２６】
本明細書での説明は、当業者が本開示を作成または使用することを可能にするために提供される。本開示の様々な修正が、当業者に容易に明らかになり、本明細書で定義された一般原理は、本開示の範囲から逸脱することなく他の変形形態に適用され得る。したがって、本開示は本明細書で説明した例および設計に限定されず、本明細書で開示する原理および新規の特徴と一致する最も広い範囲が与えられるべきである。
【符号の説明】
【０２２７】
100  ワイヤレス通信システム
105  基地局
110  カバレージエリア
115  ユーザ機器(UE)
125  通信リンク
130  コアネットワーク
132、134  バックホールリンク
200  ワイヤレス通信サブシステム
205  通信リンク
210  制御情報
215  データ
300  送信構成
305  制御チャネルリソースセット
310  データリソース
315  再同調遅延期間
400  送信構成
405  制御チャネルリソースセット
410  データリソース
415  再同調遅延期間
420  制御情報送信クラスタ
425  シンボル期間
430  スロット
500  送信構成
505  制御チャネルリソースセット
510  データリソース
515  再同調遅延期間
520  制御情報送信クラスタ
525  データリソースセット
705  ワイヤレスデバイス
710  受信機
715  基地局制御情報マネージャ
720  送信機
805  ワイヤレスデバイス
810  受信機
815  基地局制御情報マネージャ
820  送信機
825  制御情報スケジューラ
830  制御送信マネージャ
835  データ送信マネージャ
905  デバイス
910  バス
915  基地局制御情報マネージャ
920  プロセッサ
925  メモリ
930  ソフトウェア
935  トランシーバ
940  アンテナ
945  ネットワーク通信マネージャ
950  局間通信マネージャ
1005  ワイヤレスデバイス
1010  受信機
1015  UE制御情報マネージャ
1020  送信機
1110  受信機
1115  UE制御情報マネージャ
1120  送信機
1125  リソースモニタ
1130  制御リソースモニタ
1135  制御リソース識別器
1140  受信マネージャ
1205  デバイス
1210  バス
1215  UE制御情報マネージャ
1220  プロセッサ
1225  メモリ
1230  ソフトウェア
1235  トランシーバ
1240  アンテナ
1245  I/Oコントローラ
【図１】
0006831021.tif 000002
【図２】
0006831021.tif 000003
【図３】
0006831021.tif 000004
【図４】
0006831021.tif 000005
【図５】
0006831021.tif 000006
【図６】
0006831021.tif 000007
【図７】
0006831021.tif 000008
【図８】
0006831021.tif 000009
【図９】
0006831021.tif 000010
【図１０】
0006831021.tif 000011
【図１１】
0006831021.tif 000012
【図１２】
0006831021.tif 000013
【図１３】
0006831021.tif 000014
【図１４】
0006831021.tif 000015
【図１５】
0006831021.tif 000016
【図１６】
0006831021.tif 000017